(57)【要約】【課題】充電対象の蓄電装置を切換えながら複数の蓄電装置を充電するよう構成された車両の電源システムにおいて、充電対象の蓄電装置を切換える途中に充電の中断が要求されても、その後に充電処理を円滑に再開させることを可能にする。【解決手段】ＥＣＵ３０は、接続部７２，７４，７６、充電器２４０、およびコンバータ１０，１２を制御することにより、主蓄電装置ＢＡおよび副蓄電装置（ＢＢ１，ＢＢ２）を直列的に充電する。ＥＣＵ３０は、充電対象の蓄電装置の切換中に中断要求が発生した場合、接続部による充電対象の蓄電装置の接続の切換を完了させる。すなわちＥＣＵ３０は、中断要求が発生した場合、充電対象の蓄電装置を変更するための第１および第２の接続部の制御処理を完了させる。【選択図】図２
2010124537.tif 000002
【特許請求の範囲】
【請求項１】
第１および第２の蓄電装置と、
前記第１の蓄電装置に対応して設けられる第１の電力線と、
前記第２の蓄電装置に対応して設けられる第２の電力線と、
前記第１の蓄電装置と前記第１の電力線との電気的接続および遮断が可能に構成された第１の接続部と、
前記第２の蓄電装置と前記第２の電力線との電気的接続および遮断が可能に構成された第２の接続部と、
前記第１および第２の電力線に接続されて、前記第１および第２の蓄電装置を車両外部の外部電源により充電するための充電装置と、
前記第１および第２の接続部ならびに前記充電装置を制御することにより、前記第１および第２の蓄電装置を直列的に充電する制御装置とを備え、
前記制御装置は、充電対象の蓄電装置を前記第１の蓄電装置から前記第２の蓄電装置に変更する途中において、前記充電対象の蓄電装置を充電する充電処理を中断するための所定の中断条件が成立した場合には、前記充電装置から前記充電対象の蓄電装置への電力供給が停止されるよう前記充電装置を制御するとともに、前記第１および第２の接続部を非導通状態および導通状態にそれぞれ設定することにより前記充電対象の蓄電装置と前記充電装置との間の接続の切換を完了させる、車両の電源システム。
【請求項２】
前記制御装置は、前記充電処理の中断後に前記充電処理を強制的に終了するための終了条件が成立した場合には、前記第１および第２の接続部をともに非導通状態に設定する、請求項１に記載の車両の電源システム。
【請求項３】
前記制御装置は、前記所定の中断条件の成立が不成立に変更した時点から所定の時間が経過した後に前記充電装置による前記電力の供給が再開可能となるように、前記充電装置を制御する、請求項１または２のいずれか１項に記載の車両の電源システム。
【請求項４】
前記制御装置は、前記充電処理の進行状況に関わらず前記充電処理を強制的に終了させるための終了条件が成立した場合には、前記第１および第２の接続部をともに非導通状態に設定する、請求項１から３のいずれか１項に記載の車両の電源システム。
【請求項５】
前記車両は、表示装置をさらに備え、
前記制御装置は、
前記充電処理の終了結果が、正常終了、中断および強制終了のいずれであるかを示す情報を記憶する記憶部と、
前記充電処理の前記終了結果を前記表示装置に表示させる指示に応じて、前記情報に対応する前記終了結果を前記表示装置に表示させる表示処理部とを含む、請求項１から４のいずれか１項に記載の車両の電源システム。
【請求項６】
前記電源システムは、
第３の電力線をさらに備え、
前記充電装置は、
前記第１および第３の電力線に接続されて、双方向の電力変換が可能に構成された第１の電力変換装置と、
前記第２および第３の電力線に接続されて、双方向の電力変換が可能に構成された第２の電力変換装置と、
前記外部電源から供給される電力を前記第２の電力線に出力可能に構成された充電器とを含む、請求項１から５のいずれか１項に記載の車両の電源システム。
【請求項７】
前記第１および第２の電力変換装置の各々は、
前記第１および第２の電力線のうち対応する電力線と前記第３の電力線の間の電流経路に介挿接続される電力用半導体スイッチング素子と、
前記対応する電力線から前記第３の電力線へ向かう方向を順方向として、前記電力用半導体スイッチング素子と並列に接続されるダイオード素子とを含み、
前記制御装置は、前記外部電源から供給される電力を前記充電器を介して前記第１の電力線に出力する場合においては、前記第１および第２の電力変換装置の各々の前記電力用半導体スイッチング素子を導通状態に設定する一方、前記外部電源から前記充電器を介して供給される電力を前記第２の電力線に出力する場合においては、前記第１および第２の電力変換装置の各々の前記電力用半導体スイッチング素子を非導通状態に設定する、請求項６に記載の車両の電源システム。
【請求項８】
請求項１から７のいずれか１項に記載の車両の電源システムを備える、車両。
【発明の詳細な説明】
【技術分野】
【０００１】
本発明は、車両の電源システムおよび車両に関し、特に複数の蓄電装置とその蓄電装置に充電を行なうための充電装置とを搭載する、車両の電源システムの制御技術に関する。
【背景技術】
【０００２】
近年、環境にやさしい車両として、電気自動車、ハイブリッド自動車および燃料電池自動車等の車両が開発され実用化されている。これらの車両は、一般に、車両駆動力を発生する電動機を搭載するとともに、その電動機に駆動電力を供給するための電源システムを搭載している。電源システムは蓄電装置を備える。
【０００３】
これらの車両に搭載された蓄電装置を車両外部の電源（以下、「外部電源」とも称する）によって充電する構成が提案されている。たとえば、特開２００８−１０９８４０号公報（特許文献１）は、複数個の蓄電装置（バッテリ）を並列接続した電源システムを開示する。特許文献１に開示された電源システムは、蓄電装置（バッテリ）ごとに充放電調整装置としての電圧変換器（コンバータ）を備える。
【０００４】
特許文献１は、さらに、主蓄電装置と複数の副蓄電装置とを備えた電源装置を開示する。この電源装置は、主蓄電装置に対応するコンバータと、複数の副蓄電装置により共有されるコンバータとを備える。
【特許文献１】特開２００８−１０９８４０号公報
【発明の開示】
【発明が解決しようとする課題】
【０００５】
車両に搭載された複数の蓄電装置を外部電源により充電する場合には、充電対象の蓄電装置を順次切換えながら各蓄電装置を充電する方法が考えられる。複数の蓄電装置を同時に充電した場合、電圧が異なる２つの蓄電装置が短絡することが考えられる。この場合、高電圧の蓄電装置から低電圧の蓄電装置に短絡電流が流れる。充電対象の蓄電装置を順次切換えることで、このような問題を回避できる。
【０００６】
特開２００８−１０９８４０号公報に開示された構成においては、充電対象の蓄電装置を切換えるために、蓄電装置とコンバータとの間に設けられるリレーを開閉する必要があると考えられる。すなわち充電済みの蓄電装置とコンバータとの間に設けられるリレーを開くとともに、充電対象の蓄電装置とコンバータとの間に設けられるリレーを閉じる必要がある。
【０００７】
ここで、充電対象の蓄電装置を切換える途中に、各種の理由による異常が生じる可能性がある。たとえば停電が生じた場合には外部電源から車両への電力供給が停止される。この場合には、外部から車両への電力供給を正常に実行できない。このような異常が生じた場合の処理として、充電対象の蓄電装置を切換える処理を中断することが考えられる。すなわち、リレーの制御処理を途中で中断することが考えられる。
【０００８】
しかしながらリレーの制御処理を強制的に中断した場合、中断時点でのリレーの状態（オン状態またはオフ状態）が本来の状態（正しい状態）と異なる可能性がある。リレーの状態が本来の状態と異なる場合、充電対象の蓄電装置を切換える処理の再開時にリレーを正しく制御できるとは限らない。リレーを制御できなければリレーの状態は中断時点での状態のまま停滞することになる。特開２００８−１０９８４０号公報（特許文献１）においては、充電対象の蓄電装置を切換える処理を中断する必要が生じた場合における電源システムの制御については特に説明されていない。
【０００９】
本発明の目的は、充電対象の蓄電装置を切換えながら複数の蓄電装置を充電するよう構成された車両の電源システムにおいて、充電対象の蓄電装置を切換える途中に充電の中断が要求されても、その後に充電処理を円滑に再開させることを可能にすることである。
【課題を解決するための手段】
【００１０】
本発明は要約すれば、車両の電源システムであって、第１および第２の蓄電装置と、第１の電力線と、第２の電力線と、第１の接続部と、第２の接続部と、充電装置と、制御装置とを備える。第１の電力線は、第１の蓄電装置に対応して設けられる。第２の電力線は、第２の蓄電装置に対応して設けられる。第１の接続部は、第１の蓄電装置と第１の電力線との電気的接続および遮断が可能に構成される。第２の接続部は、第２の蓄電装置と第２の電力線との電気的接続および遮断が可能に構成される。充電装置は、第１および第２の電力線に接続されて、第１および第２の蓄電装置を車両外部の外部電源により充電する。制御装置は、第１および第２の接続部ならびに充電装置を制御することにより、第１および第２の蓄電装置を直列的に充電する。制御装置は、充電対象の蓄電装置を第１の蓄電装置から第２の蓄電装置に変更する途中において、充電対象の蓄電装置を充電する充電処理を中断するための所定の中断条件が成立した場合には、充電装置から充電対象の蓄電装置への電力供給が停止されるよう充電装置を制御するとともに、第１および第２の接続部を非導通状態および導通状態にそれぞれ設定することにより充電対象の蓄電装置と充電装置との間の接続の切換を完了させる。
【００１１】
好ましくは、制御装置は、充電処理の中断後に充電処理を強制的に終了するための終了条件が成立した場合には、第１および第２の接続部をともに非導通状態に設定する。
【００１２】
好ましくは、制御装置は、所定の中断条件の成立が不成立に変更した時点から所定の時間が経過した後に充電装置による電力の供給が再開可能となるように、充電装置を制御する。
【００１３】
好ましくは、制御装置は、充電処理の進行状況に関わらず充電処理を強制的に終了させるための終了条件が成立した場合には、第１および第２の接続部をともに非導通状態に設定する。
【００１４】
好ましくは、車両は、表示装置をさらに備える。制御装置は、記憶部と、表示処理部とを含む。記憶部は、充電処理の終了結果が、正常終了、中断および強制終了のいずれであるかを示す情報を記憶する。表示処理部は、充電処理の終了結果を表示装置に表示させる指示に応じて、情報に対応する終了結果を表示装置に表示させる。
【００１５】
好ましくは、電源システムは、第３の電力線をさらに備える。充電装置は、第１の電力変換装置と、第２の電力変換装置と、充電器とを含む。第１の電力変換装置は、第１および第３の電力線に接続されて、双方向の電力変換が可能に構成される。第２の電力変換装置は、第２および第３の電力線に接続されて、双方向の電力変換が可能に構成される。充電器は、外部電源から供給される電力を第２の電力線に出力可能に構成される。
【００１６】
好ましくは、第１および第２の電力変換装置の各々は、第１および第２の電力線のうち対応する電力線と第３の電力線の間の電流経路に介挿接続される電力用半導体スイッチング素子と、対応する電力線から第３の電力線へ向かう方向を順方向として、電力用半導体スイッチング素子と並列に接続されるダイオード素子とを含む。制御装置は、外部電源から供給される電力を充電器を介して第１の電力線に出力する場合においては、第１および第２の電力変換装置の各々の電力用半導体スイッチング素子を導通状態に設定する。制御装置は、外部電源から充電器を介して供給される電力を第２の電力線に出力する場合においては、第１および第２の電力変換装置の各々の電力用半導体スイッチング素子を非導通状態に設定する。
【００１７】
本発明の他の局面に従うと、車両であって、上述のいずれかに記載の車両の電源システムを備える。
【発明の効果】
【００１８】
本発明によれば、充電対象の蓄電装置を順次切換えながら複数の蓄電装置を充電するよう構成された車両の電源システムにおいて、充電対象の蓄電装置を切換える途中に充電処理を中断しても充電処理を円滑に再開させることが可能になる。
【発明を実施するための最良の形態】
【００１９】
以下、本発明の実施の形態について図面を参照しながら詳細に説明する。なお、図中同一または相当部分には同一符号を付してその説明は繰返さない。
【００２０】
図１は、本発明の実施の形態による電源システムを搭載した車両の一例として示されるハイブリッド車両の全体ブロック図である。
【００２１】
図１を参照して、ハイブリッド車両１０００は、エンジン２と、モータジェネレータＭＧ１，ＭＧ２と、動力分割機構４と、車輪６とを備える。また、ハイブリッド車両１０００は、主蓄電装置ＢＡと、副蓄電装置ＢＢ１，ＢＢ２と、コンバータ１０，１２，１４と、コンデンサＣと、インバータ２０，２２と、補機１６と、補機バッテリＳＢと、ＥＣＵ３０と、正極ラインＰＬ１，ＰＬ２，ＰＬ３，ＰＬ４と、負極ラインＮＬとをさらに備える。また、ハイブリッド車両１０００は、電圧センサ４２，４４，４６，４８と、電流センサ５２，５４，５６と、温度センサ６２，６４，６６と、接続部７２，７４，７６と、表示装置９０と、充電器２４０と、インレット２５０とをさらに備える。
【００２２】
本実施の形態の電源システムは、主蓄電装置ＢＡと、副蓄電装置ＢＢ１，ＢＢ２と、接続部７２，７４，７６と、コンバータ１０，１２と、正極ラインＰＬ１〜ＰＬ３と、負極ラインＮＬと、充電器２４０と、インレット２５０と、ＥＣＵ３０とを含む。
【００２３】
主蓄電装置ＢＡは、本発明の「第１の蓄電装置」に対応する。副蓄電装置ＢＢ１，ＢＢ２の少なくとも１つは、本発明の「第２の蓄電装置」に対応する。接続部７２は、本発明の「第１の接続部」に対応する。接続部７４，７６の少なくとも１つは、本発明の「第２の接続部」に対応する。正極ラインＰＬ１〜ＰＬ３は、本発明の「第１の電力線」、「第２の電力線」および「第３の電力線」にそれぞれ対応する。コンバータ１０，１２、充電器２４０およびインレット２５０は、本発明の「充電装置」を構成する。さらにコンバータ１０，１２は、本発明の「第１の電力変換装置」および「第２の電力変換装置」にそれぞれ対応する。充電器２４０は、本発明の「充電器」に対応する。ＥＣＵ３０は、本発明の「制御装置」に対応する。
【００２４】
ハイブリッド車両１０００は、エンジン２およびモータジェネレータＭＧ２を動力源として走行する。動力分割機構４は、エンジン２とモータジェネレータＭＧ１，ＭＧ２とに結合されて、これらの間で動力を分配する。動力分割機構４は、たとえばサンギヤ、キャリアおよびリングギヤの３つの回転軸を有する遊星歯車機構からなり、この３つの回転軸がエンジン２およびモータジェネレータＭＧ１，ＭＧ２の回転軸にそれぞれ接続される。なお、モータジェネレータＭＧ１のロータを中空にして、その中心にエンジン２のクランク軸を通すことにより、エンジン２およびモータジェネレータＭＧ１，ＭＧ２を動力分割機構４に機械的に接続することができる。また、モータジェネレータＭＧ２の回転軸は、図示されない減速ギヤあるいは差動ギヤによって車輪６に結合される。そして、モータジェネレータＭＧ１は、エンジン２によって駆動される発電機として動作し、かつエンジン２の始動を行ない得る電動機として動作するものとして、ハイブリッド車両１０００に組込まれる。モータジェネレータＭＧ２は、車輪６を駆動する電動機としてハイブリッド車両１０００に組込まれる。
【００２５】
エンジン２は、ガソリン等の燃料を燃焼させることにより、モータジェネレータＭＧ２と並列的に、あるいはそれのみでハイブリッド車両１０００を走行させることができる。
【００２６】
主蓄電装置ＢＡおよび副蓄電装置ＢＢ１，ＢＢ２の各々は充放電可能な蓄電装置であり、たとえばニッケル水素やリチウムイオン等の二次電池からなる。なお、主蓄電装置ＢＡおよび副蓄電装置ＢＢ１，ＢＢ２の少なくとも１つに大容量のキャパシタを用いてもよい。
【００２７】
主蓄電装置ＢＡは、コンバータ１０へ電力を供給し、また電力回生時にはコンバータ１０によって充電される。副蓄電装置ＢＢ１，ＢＢ２の各々はコンバータ１２へ電力を供給し、また電力回生時にはコンバータ１２によって充電される。なお、副蓄電装置ＢＢ１，ＢＢ２は接続部７４，７６によってコンバータ１２に選択的に接続される。
【００２８】
副蓄電装置ＢＢ１，ＢＢ２の一方（以下、副蓄電装置ＢＢと示す）と主蓄電装置ＢＡとは、たとえば同時使用することによって正極ラインＰＬ３および負極ラインＮＬに接続される電気負荷（インバータ２２およびモータジェネレータＭＧ２）に許容された最大パワーを出力可能であるように、各々の放電可能容量が設定される。これによりエンジン２を使用しないＥＶ（Electric  Vehicle）走行において最大パワーの走行が可能である。副蓄電装置ＢＢ１，ＢＢ２のうち使用中の蓄電装置の蓄電状態が悪化したら、コンバータ１２に接続される蓄電装置を交換してさらに走行させればよい。そして副蓄電装置ＢＢ１，ＢＢ２に蓄積された電力が消費されてしまったら主蓄電装置ＢＡに加えてエンジン２を使用することによって副蓄電装置ＢＢ１，ＢＢ２を使用しなくとも最大パワーの走行を可能とすることができる。
【００２９】
また、このような構成とすることにより、コンバータ１２を複数の副蓄電装置で兼用するので、コンバータの数を副蓄電装置の数ほど増やさなくてもよい。ＥＶ走行距離をさらに延ばすには副蓄電装置ＢＢ１，ＢＢ２に並列に蓄電装置を追加すればよい。すなわち、本実施の形態では副蓄電装置の個数は２個であるが、この数に限定されるものではない。
【００３０】
接続部７２は、主蓄電装置ＢＡと、正極ラインＰＬ１および負極ラインＮＬとの間に設けられている。接続部７２は、ＥＣＵ３０から与えられる信号ＣＮ１に応じて導通状態（オン）／非導通状態（オフ）が制御される。接続部７２がオンすると主蓄電装置ＢＡが正極ラインＰＬ１および負極ラインＮＬに接続される。一方、接続部７２がオフすると主蓄電装置ＢＡが正極ラインＰＬ１および負極ラインＮＬから切離される。
【００３１】
接続部７４は、副蓄電装置ＢＢ１と、正極ラインＰＬ２および負極ラインＮＬとの間に設けられる。接続部７４は、信号ＣＮ２に応じて導通状態および非導通状態のいずれかの状態となる。これにより、接続部７４は、副蓄電装置ＢＢ１と正極ラインＰＬ２および負極ラインＮＬとの電気的接続および遮断を行なう。
【００３２】
接続部７６は、副蓄電装置ＢＢ２と、正極ラインＰＬ２および負極ラインＮＬとの間に設けられる。接続部７６は、信号ＣＮ３に応じて導通状態および非導通状態のいずれかの状態となる。これにより、接続部７６は、副蓄電装置ＢＢ２と正極ラインＰＬ２および負極ラインＮＬとの電気的接続および遮断を行なう。
【００３３】
コンバータ１０は、正極ラインＰＬ１および負極ラインＮＬに接続される。コンバータ１０は、ＥＣＵ３０からの信号ＰＷＣ１に基づいて主蓄電装置ＢＡからの電圧を昇圧し、その昇圧した電圧を正極ラインＰＬ３へ出力する。また、コンバータ１０は、インバータ２０，２２から正極ラインＰＬ３を介して供給される回生電力を信号ＰＷＣ１に基づいて主蓄電装置ＢＡの電圧レベルに降圧し、主蓄電装置ＢＡを充電する。さらに、コンバータ１０は、ＥＣＵ３０からシャットダウン信号ＳＤ１を受けるとスイッチング動作を停止する。さらに、コンバータ１０は、ＥＣＵ３０から上アームオン信号ＵＡ１を受けると、コンバータ１０に含まれる上アームおよび下アーム（後述）をオン状態およびオフ状態にそれぞれ固定する。
【００３４】
コンバータ１２は、正極ラインＰＬ２および負極ラインＮＬに接続される。そして、コンバータ１２は、ＥＣＵ３０からの信号ＰＷＣ２に基づいて副蓄電装置ＢＢの電圧を昇圧し、その昇圧した電圧を正極ラインＰＬ３へ出力する。また、コンバータ１２は、インバータ２０，２２から正極ラインＰＬ３を介して供給される回生電力を信号ＰＷＣ２に基づいて副蓄電装置ＢＢの電圧レベルに降圧し、副蓄電装置ＢＢを充電する。さらに、コンバータ１２は、ＥＣＵ３０からシャットダウン信号ＳＤ２を受けるとスイッチング動作を停止する。さらに、コンバータ１２は、ＥＣＵ３０から上アームオン信号ＵＡ２を受けると、コンバータ１２に含まれる上アームおよび下アーム（後述）をオン状態およびオフ状態にそれぞれ固定する。
【００３５】
コンデンサＣは、正極ラインＰＬ３と負極ラインＮＬとの間に接続され、正極ラインＰＬ３と負極ラインＮＬとの間の電圧変動を平滑化する。
【００３６】
インバータ２０は、モータジェネレータＭＧ１の力行動作時には、ＥＣＵ３０からの信号ＰＷＩ１に基づいて正極ラインＰＬ３からの直流電圧を三相交流電圧に変換し、その変換した交流電圧をモータジェネレータＭＧ１へ出力する。また、インバータ２０は、モータジェネレータＭＧ１の発電時には、信号ＰＷＩ１に基づいて、エンジン２の動力を用いてモータジェネレータＭＧ１が発電した三相交流電圧を、直流電圧に変換し、その変換した直流電圧を正極ラインＰＬ３へ出力する。
【００３７】
インバータ２２は、ＥＣＵ３０からの信号ＰＷＩ２に基づいて正極ラインＰＬ３からの直流電圧を三相交流電圧に変換し、その変換した交流電圧をモータジェネレータＭＧ２へ出力する。また、インバータ２２は、車両の回生制動時、車輪６からの回転力を受けてモータジェネレータＭＧ２が発電した三相交流電圧を信号ＰＷＩ２に基づいて直流電圧に変換し、その変換した直流電圧を正極ラインＰＬ３へ出力する。
【００３８】
モータジェネレータＭＧ１，ＭＧ２の各々は三相交流回転電機であり、たとえば三相交流同期電動発電機からなる。モータジェネレータＭＧ１は、インバータ２０によって回生駆動され、エンジン２の動力を用いて発電した三相交流電圧をインバータ２０へ出力する。また、モータジェネレータＭＧ１は、エンジン２の始動時にインバータ２０によって力行駆動されて、エンジン２をクランキングする。
【００３９】
モータジェネレータＭＧ２はインバータ２２によって力行駆動されて、車両を駆動するための駆動力を発生する。また、モータジェネレータＭＧ２は、車両の回生制動時、インバータ２２によって回生駆動されて、車輪６から受ける回転力を用いて発電した三相交流電圧をインバータ２２へ出力する。
【００４０】
電圧センサ４２は、主蓄電装置ＢＡの電圧ＶＡを検出してＥＣＵ３０へ出力する。電流センサ５２は、主蓄電装置ＢＡからコンバータ１０へ入出力される電流ＩＡを検出してＥＣＵ３０へ出力する。温度センサ６２は、主蓄電装置ＢＡの温度ＴＡを検出してＥＣＵ３０へ出力する。
【００４１】
電圧センサ４４および４６は、副蓄電装置ＢＢ１の電圧ＶＢ１および副蓄電装置ＢＢ２のＶＢ２をそれぞれ検出してＥＣＵ３０へ出力する。電流センサ５４および５６は、副蓄電装置ＢＢ１からコンバータ１２へ入出力される電流ＩＢ１、および副蓄電装置ＢＢ２からコンバータ１２へ入出力される電流ＩＢ２をそれぞれ検出してＥＣＵ３０へ出力する。温度センサ６４および６６は、副蓄電装置ＢＢ１の温度ＴＢ１および副蓄電装置ＢＢ２の温度ＴＢ２をそれぞれ検出してＥＣＵ３０へ出力する。
【００４２】
電圧センサ４８は、コンデンサＣの端子間電圧（電圧ＶＨ）を検出してＥＣＵ３０へ出力する。
【００４３】
コンバータ１４は具体的にはＤＣ／ＤＣコンバータであり、ＥＣＵ３０からの信号ＰＷＣ３に応じて正極ラインＰＬ１の直流電圧を降圧する。コンバータ１４の出力側には正極ラインＰＬ４が接続され、補機１６および補機バッテリＳＢは正極ラインＰＬ４に対して並列接続される。コンバータ１４からの出力電圧は補機１６および補機バッテリＳＢに供給され、これにより補機１６が動作するとともに補機バッテリＳＢが充電される。
【００４４】
補機１６は、たとえばヘッドライト、時計、オーディオ機器等であるが特にその種類は限定されるものではない。補機バッテリＳＢは充放電可能な蓄電装置であり、たとえば鉛蓄電池である。補機バッテリＳＢはコンバータ１４からの直流電圧により充電される一方、補機１６に駆動電力を供給することにより放電する。また、補機バッテリＳＢの電圧ＶＤは、ＥＣＵ３０に供給される。これによりＥＣＵ３０が動作する。
【００４５】
充電器２４０およびインレット２５０はハイブリッド車両１０００の外部の電源により主蓄電装置ＢＡ、副蓄電装置ＢＢ１，ＢＢ２を充電するために設けられる。車両外部の電源（外部電源）から供給された電力はインレット２５０および充電器２４０を介して正極ラインＰＬ２および負極ラインＮＬ間に出力される。充電器２４０はＥＣＵ３０からの信号ＣＨＧに応じて動作および停止する。
【００４６】
ＥＣＵ３０は、接続部７２，７４，７６をそれぞれ制御するための信号ＣＮ１〜ＣＮ３を生成して出力する。さらにＥＣＵ３０はコンバータ１０を制御するための信号ＰＷＣ１，ＳＤ１，ＵＡ１を生成し、これらの信号のいずれかをコンバータ１０へ出力する。また、ＥＣＵ３０はコンバータ１２を制御するための信号ＰＷＣ２，ＳＤ２，ＵＡ２を生成し、これらの信号のいずれかをコンバータ１２へ出力する。
【００４７】
さらに、ＥＣＵ３０はインバータ２０，２２をそれぞれ駆動するための信号ＰＷＩ１，ＰＷＩ２を生成し、その生成した信号ＰＷＩ１，ＰＷＩ２をインバータ２０，２２へそれぞれ出力する。さらにＥＣＵ３０はコンバータ１４を制御するための信号ＰＷＣ３を生成してコンバータ１４に出力する。さらにＥＣＵ３０は充電器２４０を制御するための信号ＣＨＧを生成して充電器２４０に出力する。
【００４８】
表示装置９０は、ＥＣＵ３０の制御により各種の情報を表示する。たとえばＥＣＵ３０は、図１に示す車両システムを起動するための指令ＩＧＯＮを受けたときに、主蓄電装置ＢＡおよび副蓄電装置ＢＢ１，ＢＢ２の充電が完了したことを示す情報、各蓄電装置の残存容量等の情報を表示装置９０に表示させる。また、主蓄電装置ＢＡおよび副蓄電装置ＢＢ１，ＢＢ２のいずれかを充電する途中において、外的要因等によりその充電が終了された場合、ＥＣＵ３０は、指令ＩＧＯＮに応じて、充電が途中で終了したこと（中断したこと）を示す情報を表示装置９０に表示させる。また、図１に示すシステムの異常（たとえば漏電）によって充電が強制的に終了（非常停止）した場合、ＥＣＵ３０は、指令ＩＧＯＮに応じて、充電が強制終了（非常停止）したこと）を示す情報を表示装置９０に表示させる。
【００４９】
上記のように、ハイブリッド車両１０００は、車両外部の電源により主蓄電装置ＢＡおよび副蓄電装置ＢＢ１，ＢＢ２を充電可能に構成される。各蓄電装置の充電時において、ＥＣＵ３０は接続部７２〜７６、コンバータ１０，１２および充電器２４０を制御する。
【００５０】
図２は、図１に示したコンバータ１０，１２および接続部７２〜７６の構成を示す回路図である。
【００５１】
図２を参照して、コンバータ１０は、電力用半導体スイッチング素子Ｑ１，Ｑ２と、ダイオードＤ１，Ｄ２と、リアクトルＬ１と、コンデンサＣ１とを含む。
【００５２】
本実施の形態において、電力用半導体スイッチング素子（以下、単に「スイッチング素子」とも称する）としては、ＩＧＢＴ（Insulated  Gate  Bipolar  Transistor）が適用されるものとするが、制御信号によってオン・オフを制御可能であれば任意のスイッチング素子を適用可能である。たとえば、ＭＯＳＦＥＴ（Metal  Oxide  Semiconductor  Field Effect Transistor）あるいはバイポーラトランジスタ等も適用可能である。
【００５３】
スイッチング素子Ｑ１，Ｑ２は、正極ラインＰＬ３と負極ラインＮＬとの間に直列に接続される。ダイオードＤ１，Ｄ２は、それぞれスイッチング素子Ｑ１，Ｑ２に逆並列に接続される。リアクトルＬ１の一方端は、スイッチング素子Ｑ１，Ｑ２の接続ノードに接続され、その他方端は、正極ラインＰＬ１に接続される。コンデンサＣ１は、正極ラインＰＬ１および負極ラインＮＬに接続される。
【００５４】
コンバータ１２は、コンバータ１０と同様の構成を有する。コンバータ１０の構成において、スイッチング素子Ｑ１，Ｑ２をスイッチング素子Ｑ３，Ｑ４にそれぞれ置き換え、ダイオードＤ１，Ｄ２をダイオードＤ３，Ｄ４にそれぞれ置き換え、リアクトルＬ１、コンデンサＣ１および正極ラインＰＬ１をリアクトルＬ２、コンデンサＣ２および正極ラインＰＬ２にそれぞれ置き換えた構成がコンバータ１２の構成に対応する。
【００５５】
なお、スイッチング素子Ｑ１およびＱ３は、コンバータ１０および１２の上アームに対応し、スイッチング素子Ｑ２およびＱ４は、コンバータ１０および１２の下アームに対応する。
【００５６】
コンバータ１０，１２は、チョッパ回路から成る。そして、コンバータ１０（１２）は、ＥＣＵ３０（図１）からの信号ＰＷＣ１（ＰＷＣ２）に基づいて、正極ラインＰＬ１（ＰＬ２）の電圧をリアクトルＬ１（Ｌ２）を用いて昇圧し、その昇圧した電圧を正極ラインＰＬ３へ出力する。具体的には、スイッチング素子Ｑ１（Ｑ３）および／またはスイッチング素子Ｑ２（Ｑ４）のオン・オフ期間比（デューティ）を制御することによって、主蓄電装置ＢＡ、副蓄電装置ＢＢからの出力電圧の昇圧比を制御できる。
【００５７】
一方、コンバータ１０（１２）は、ＥＣＵ３０（図示せず）からの信号ＰＷＣ１（ＰＷＣ２）に基づいて、正極ラインＰＬ３の電圧を降圧し、その降圧した電圧を正極ラインＰＬ１（ＰＬ２）へ出力する。具体的には、スイッチング素子Ｑ１（Ｑ３）および／またはスイッチング素子Ｑ２（Ｑ４）のオン・オフ期間比（デューティ）を制御することによって、正極ラインＰＬ３の電圧の降圧比を制御できる。
【００５８】
接続部７２は、主蓄電装置ＢＡの正極と正極ラインＰＬ１との間に接続されるシステムメインリレーＳＲＢ１と、主蓄電装置ＢＡの負極と負極ラインＮＬとの間に接続されるシステムメインリレーＳＲＧ１と、主蓄電装置ＢＡの負極と負極ラインＮＬとの間に直列に接続され、かつシステムメインリレーＳＲＧ１と並列に設けられるシステムメインリレーＳＲＰ１および制限抵抗ＲＡとを含む。システムメインリレーＳＲＢ１，ＳＲＰ１，ＳＲＧ１はＥＣＵ３０から与えられる信号ＣＮ１によって導通状態（オン）／非導通状態（オフ）が制御される。
【００５９】
接続部７４，７６は上述した接続部７２と同様の構成を有する。すなわち、上述の接続部７２の構成において主蓄電装置ＢＡを副蓄電装置ＢＢ１に置き換え、システムメインリレーＳＲＢ１，ＳＲＰ１，ＳＲＧ１をシステムメインリレーＳＲＢ２，ＳＲＰ２，ＳＲＧ２にそれぞれ置き換え、制限抵抗ＲＡを制限抵抗ＲＢ１に置き換えた構成が接続部７４の構成に対応する。接続部７４に含まれる各システムメインリレーは、ＥＣＵ３０からの信号ＣＮ２によって導通状態および非導通状態が制御される。
【００６０】
また、上述の接続部７２の構成において主蓄電装置ＢＡを副蓄電装置ＢＢ２に置き換え、システムメインリレーＳＲＢ１，ＳＲＰ１，ＳＲＧ１をシステムメインリレーＳＲＢ３，ＳＲＰ３，ＳＲＧ３にそれぞれ置き換え、制限抵抗ＲＡを制限抵抗ＲＢ２に置き換えた構成が接続部７６の構成に対応する。接続部７６に含まれる各システムメインリレーはＥＣＵ３０からの信号ＣＮ３に応じて導通状態および非導通状態が制御される。
【００６１】
主蓄電装置ＢＡおよび副蓄電装置ＢＢ１，ＢＢ２の充電時において、ＥＣＵ３０はコンバータ１０に信号ＵＡ１またはＳＤ１を送るとともに、コンバータ１２に信号ＵＡ２またはＳＤ２を送る。コンバータ１０は信号ＵＡ１に応じて上アーム（スイッチング素子Ｑ１）をオンするとともに、下アーム（スイッチング素子Ｑ２）をオフする。コンバータ１０は信号ＳＤ１に応じて上アームおよび下アームをオフする。コンバータ１２は信号ＵＡ２に応じて上アーム（スイッチング素子Ｑ３）をオンするとともに、下アーム（スイッチング素子Ｑ４）をオフする。コンバータ１２は信号ＳＤ２に応じて上アームおよび下アームをオフする。
【００６２】
さらにＥＣＵ３０は充電器２４０に信号ＣＨＧを送る。なお、各蓄電装置の充電については後ほど詳細に説明する。
【００６３】
図３は、充電器２４０の構成および、ハイブリッド車両と外部電源との電気的接続のための構成を詳細に示す図である。
【００６４】
図３を参照して、充電器２４０は、ＡＣ／ＤＣ変換回路２４２と、ＤＣ／ＡＣ変換回路２４４と、絶縁トランス２４６と、整流回路２４８とを含む。
【００６５】
ＡＣ／ＤＣ変換回路２４２は、単相ブリッジ回路から成る。ＡＣ／ＤＣ変換回路２４２は、ＥＣＵ３０からの信号ＣＨＧに基づいて、交流電力を直流電力に変換する。また、ＡＣ／ＤＣ変換回路２４２は、コイルをリアクトルとして用いることにより、電圧を昇圧する昇圧チョッパ回路としても機能する。
【００６６】
ＤＣ／ＡＣ変換回路２４４は、単相ブリッジ回路から成る。ＤＣ／ＡＣ変換回路２４４は、ＥＣＵ３０からのＣＨＧに基づいて、直流電力を高周波の交流電力に変換して絶縁トランス２４６へ出力する。
【００６７】
絶縁トランス２４６は、磁性材から成るコアと、コアに巻回された一次コイルおよび二次コイルとを含む。一次コイルおよび二次コイルは、電気的に絶縁されており、それぞれＤＣ／ＡＣ変換回路２４４および整流回路２４８に接続される。絶縁トランス２４６は、ＤＣ／ＡＣ変換回路２４４から受ける高周波の交流電力を一次コイルおよび二次コイルの巻数比に応じた電圧レベルに変換して整流回路２４８へ出力する。整流回路２４８は、絶縁トランス２４６から出力される交流電力を直流電力に整流する。
【００６８】
ＡＣ／ＤＣ変換回路２４２とＤＣ／ＡＣ変換回路２４４との間の電圧（平滑コンデンサの端子間電圧）は、電圧センサ１８２により検出され、検出結果を表わす信号がＥＣＵ３０に入力される。また、充電器２４０の出力電流は、電流センサ１８４により検出され、検出結果を表わす信号がＥＣＵ３０に入力される。
【００６９】
ＥＣＵ３０は、車両外部の電源４０２により主蓄電装置ＢＡおよび副蓄電装置ＢＢ１，ＢＢ２が充電されるとき、充電器２４０を駆動するための信号ＣＨＧを生成して充電器２４０へ出力する。
【００７０】
なおＥＣＵ３０は、充電器２４０の制御機能の他、充電器２４０のフェール検出機能を有する。電圧センサ１８２により検出される電圧、電流センサ１８４により検出される電流などがしきい値以上であると、充電器２４０のフェールが検出される。
【００７１】
インレット２５０は、たとえばハイブリッド車両の側部に設けられる。インレット２５０には、ハイブリッド車両と外部の電源４０２とを連結する充電ケーブル３００のコネクタ３１０が接続される。
【００７２】
ハイブリッド車両と外部の電源４０２とを連結する充電ケーブル３００は、コネクタ３１０と、プラグ３２０と、ＣＣＩＤ（Charging  Circuit  Interrupt  Device）３３０とを含む。
【００７３】
充電ケーブル３００のコネクタ３１０は、ハイブリッド車両に設けられたインレット２５０に接続される。コネクタ３１０には、スイッチ３１２が設けられる。充電ケーブル３００のコネクタ３１０が、ハイブリッド車両に設けられたインレット２５０に接続された状態でスイッチ３１２が閉じると、充電ケーブル３００のコネクタ３１０が、ハイブリッド車両に設けられたインレット２５０に接続された状態であることを表わすケーブル接続信号ＰＩＳＷがＥＣＵ３０に入力される。たとえばスイッチ３１２は、充電ケーブル３００のコネクタ３１０をハイブリッド車両のインレット２５０に係止する係止金具（図示せず）に連動して開閉する。
【００７４】
充電ケーブル３００のプラグ３２０は、コンセント４００に接続される。コンセント４００はたとえば家屋に設けられたコンセントである。コンセント４００には電源４０２から交流電力が供給される。
【００７５】
ＣＣＩＤ３３０は、リレー３３２およびコントロールパイロット回路３３４を有する。リレー３３２が開いた状態では、電源４０２からハイブリッド車両へ電力を供給する経路が遮断される。リレー３３２が閉じた状態では、電源４０２からハイブリッド車両に電力が供給可能になる。リレー３３２の状態は、充電ケーブル３００のコネクタ３１０がハイブリッド車両のインレット２５０に接続された状態でＥＣＵ３０により制御される。
【００７６】
コントロールパイロット回路３３４は、充電ケーブル３００のプラグ３２０がコンセント４００、すなわち外部の電源４０２に接続され、かつコネクタ３１０がインレット２５０に接続された状態において、コントロールパイロット線にパイロット信号（方形波信号）ＣＰＬＴを送る。コントロールパイロット回路３３４内に設けられた発振器によって、パイロット信号ＣＰＬＴは周期的に変化する。
【００７７】
コントロールパイロット回路３３４は、充電ケーブル３００のプラグ３２０がコンセント４００に接続された場合には、コネクタ３１０がインレット２５０から外されていても、所定のパイロット信号ＣＰＬＴを出力し得る。ただし、ＥＣＵ３０は、コネクタ３１０がインレット２５０から外された状態で出力されたパイロット信号ＣＰＬＴを、検出できない。
【００７８】
充電ケーブル３００のプラグ３２０がコンセント４００に接続され、かつ充電ケーブル３００のコネクタ３１０がインレット２５０に接続されると、コントロールパイロット回路３３４は、予め定められたパルス幅（デューティサイクル）のパイロット信号ＣＰＬＴを生成する。
【００７９】
パイロット信号ＣＰＬＴのパルス幅により、供給可能な電流容量がハイブリッド車両に通知される。たとえば、充電ケーブル３００の電流容量がハイブリッド車両に通知される。パイロット信号ＣＰＬＴのパルス幅は、電源４０２の電圧および電流に依存せずに一定である。
【００８０】
一方、用いられる充電ケーブルの種類が異なれば、パイロット信号ＣＰＬＴのパルス幅は異なり得る。すなわち、パイロット信号ＣＰＬＴのパルス幅は、充電ケーブルの種類毎に定められ得る。
【００８１】
本実施の形態においては、充電ケーブル３００によりハイブリッド車両と電源４０２とが連結された状態において、主蓄電装置ＢＡ、副蓄電装置ＢＢ１，ＢＢ２が充電される。電源４０２の交流電圧ＶＡＣは、ハイブリッド車両の内部に設けられた電圧センサ１８８により検出される。検出された電圧ＶＡＣは、ＥＣＵ３０に送信される。
【００８２】
図４は、ＥＣＵ３０の構成を示す機能ブロック図である。なお、図４に示した構成はハードウェアおよびソフトウェアのいずれによっても実現可能である。
【００８３】
図４を参照して、ＥＣＵ３０は、充電制御部３１と、リレー制御部３２と、コンバータ制御部３３と、インバータ制御部３４と、記憶部３５とを含む。
【００８４】
充電制御部３１は、主蓄電装置ＢＡの残存容量（ＳＯＣ（State  of  Charge）とも呼ばれる）ＳＯＣ１、副蓄電装置ＢＢ１，ＢＢ２のそれぞれの残存容量ＳＯＣ２，ＳＯＣ３を受ける。この残存容量は、たとえば蓄電装置が満充電状態であるときに１００％であると定義され、蓄電装置が完全に放電した状態であるときに０％であると定義される。なお、残存容量は、蓄電装置の電圧や充放電電流、蓄電装置の温度などを用いて種々の公知の手法により算出することができるので、ここでは詳細な説明を繰返さない。充電制御部３１は、残存容量ＳＯＣ１，ＳＯＣ２，ＳＯＣ３に基づいて信号ＣＨＧを出力することにより充電器２４０を動作および停止させる。
【００８５】
また、充電制御部３１は、指令ＩＧＯＮに応じて、主蓄電装置ＢＡおよび副蓄電装置ＢＢ１，ＢＢ２の充電結果を示す情報を表示装置９０に表示させる。具体的には、充電制御部３１は、主蓄電装置ＢＡおよび副蓄電装置ＢＢ１，ＢＢ２の充電結果を示すＩＤを記憶部３５に記憶させる。そして、充電制御部３１は、指令ＩＧＯＮに応じて記憶部３５に記憶されているＩＤを読み出して、そのＩＤによって特定される情報（充電結果を示す情報）を表示装置９０に表示させる。
【００８６】
リレー制御部３２は、充電制御部３１の制御処理の結果に基づいて、接続部７２，７４，７６を制御するための信号ＣＮ１〜ＣＮ３を出力する。
【００８７】
コンバータ制御部３３は、電圧センサ４２によって検出された電圧ＶＡ、電圧センサ４８によって検出された電圧ＶＨ、および電流センサ５２によって検出された電流ＩＡに基づいて、コンバータ１０に含まれるスイッチング素子をＰＷＭ（Pulse Width Modulation）制御するための信号ＰＷＣ１を生成する。コンバータ制御部３３は、さらに、コンバータ１０を停止するためのシャットダウン信号ＳＤ１、および、コンバータ１０の上アームをオン状態に固定するための上アームオン信号ＵＡ１を生成する。
【００８８】
コンバータ制御部３３は、同様に、電圧ＶＢ１（または電圧ＶＢ２）、電圧ＶＨ、および電流ＩＢ１（または電流ＩＢ２）に基づいて、コンバータ１２に含まれるスイッチング素子を制御するための信号ＰＷＣ２を生成する。さらに、コンバータ制御部３３は、コンバータ１２を停止するためのシャットダウン信号ＳＤ２、およびコンバータ１２の上アームをオン状態に固定するための上アームオン信号ＵＡ２を生成する。
【００８９】
コンバータ制御部３３は、さらに、コンバータ１４をスイッチング制御するためのＰＷＭ信号ＰＷＣ３を生成する。
【００９０】
インバータ制御部３４は、モータジェネレータＭＧ１のトルク指令値ＴＲ１、モータ電流ＭＣＲＴ１およびロータ回転角θ１、ならびに電圧ＶＨに基づいて、インバータ２０に含まれるスイッチング素子をオン／オフするためのＰＷＭ信号を生成し、その生成したＰＷＭ信号を信号ＰＷＩ１としてインバータ２０へ出力する。
【００９１】
インバータ制御部３４は、モータジェネレータＭＧ２のトルク指令値ＴＲ２、モータ電流ＭＣＲＴ２およびロータ回転角θ２、ならびに電圧ＶＨに基づいて、インバータ２２に含まれるスイッチング素子をオン・オフするためのＰＷＭ信号を生成し、その生成したＰＷＭ信号を信号ＰＷＩ２としてインバータ２２へ出力する。
【００９２】
なお、トルク指令値ＴＲ１，ＴＲ２は、たとえば、アクセル開度やブレーキ踏込量、車両速度などに基づいて、図示されない車両ＥＣＵによって算出される。また、モータ電流ＭＣＲＴ１，ＭＣＲＴ２およびロータ回転角θ１，θ２の各々は、図示されないセンサによって検出される。
【００９３】
記憶部３５は、充電制御部３１からＩＤを受けて、そのＩＤを記憶する。記憶部３５は、たとえば補機バッテリＳＢからＥＣＵ３０に電力が供給される間、その記憶内容を保持できる記憶装置（たとえばＳＲＡＭ（Static  Random  Access  Memory））でもよいし、その記憶内容を不揮発的に保持可能な記憶装置（たとえばフラッシュメモリ）でもよい。
【００９４】
各蓄電装置の充電時においては、充電制御部３１と、リレー制御部３２と、コンバータ制御部３３と、記憶部３５とは、処理結果等の情報を相互にやりとりする。
【００９５】
次に、本実施の形態によるシステムメインリレーの制御について詳しく説明する。図５は、システムメインリレーの状態および電圧ＶＨの変化を模式的に示す波形図である。
【００９６】
図５を参照して、システムメインリレーＳＲＢは図２に示すシステムメインリレーＳＲＢ１，ＳＲＢ２，ＳＲＢ３を総括的に示したものである。同様に、システムメインリレーＳＲＧは、システムメインリレーＳＲＧ１〜ＳＲＧ３を総括的に示したものであり、システムメインリレーＳＲＰはシステムメインリレーＳＲＰ１〜ＳＲＰ３を総括的に示したものである。
【００９７】
まず、蓄電装置（ＢＡ，ＢＢ１，ＢＢ２）を対応するコンバータ（１０，１２）に接続するときの接続部の動作（ＥＣＵ３０による接続部の接続処理）について説明する。時刻ｔ１においてシステムメインリレーＳＲＢがオフ状態からオン状態となる。次に時刻ｔ２においてシステムメインリレーＳＲＰがオン状態となる。
【００９８】
時刻ｔ２以前では電圧ＶＨは０である。このため、蓄電装置が対応する電力線（正極ラインおよび負極ライン）に接続されると、蓄電装置の電圧（ＶＡ，ＶＢ１，ＶＢ２）と電圧ＶＨとの差が大きいため電力線に大電流が流れる可能性がある。これによりシステムメインリレーが溶着するおそれがある。このため電力線に流れる電流を制限する必要がある。
【００９９】
したがって、蓄電装置の負極側ではシステムメインリレーＳＲＧより先にシステムメインリレーＳＲＰがオンする。システムメインリレーＳＲＰがオンしている間、制限抵抗によって、蓄電装置からの出力電流が制限される。このため、電圧ＶＨは徐々に上昇する。電圧ＶＨが上昇して蓄電装置の電圧とほぼ等しくなるとシステムメインリレーＳＲＧがオンし、その後にシステムメインリレーＳＲＰがオフする（時刻ｔ３）。時刻ｔ２から時刻ｔ３までの期間はコンデンサＣに電荷を蓄積するための時間であるので、この期間をプリチャージ期間とも称することにする。システムメインリレーＳＲＰがオフすると接続処理が完了する（時刻ｔ４）。
【０１００】
次に、蓄電装置（ＢＡ，ＢＢ１，ＢＢ２）と対応するコンバータ（１０，１２）との接続を遮断するときの接続部の動作（ＥＣＵ３０による接続部の遮断処理）について説明する。なお、遮断処理は時刻ｔ５から始まるものとする。
【０１０１】
時刻ｔ５においてはシステムメインリレーＳＲＢ，ＳＲＧがオンした状態である。時刻ｔ６において、システムメインリレーＳＲＧがオフ状態となる。その後、コンデンサＣをディスチャージするための処理が行なわれる。
【０１０２】
コンデンサＣに蓄積された電荷は、モータジェネレータＭＧ１および／またはＭＧ２によって放出される。このときに、モータジェネレータＭＧ１および／またはＭＧ２はトルクを発生しないように制御される。このときに実行される放電制御の一例を説明する。モータジェネレータＭＧ１，ＭＧ２のロータ回転角（θ１，θ２）に基づいて、インバータ制御部３４が放電電流のベクトル方向を決定する。すなわち、インバータ制御部３４は、ｄ軸（モータジェネレータのロータが形成する磁界の向き）と平行な方向に放電電流のベクトルが向くようにインバータ２０，２２を制御する。このように放電を制御することによってｑ軸（トルクが発生するベクトルの向き）にトルクが発生しないようにインバータ２０，２２を制御する。なお、この放電制御は一例であってコンデンサＣに蓄積された電荷を放出するための制御であれば他の放電制御を採用することも可能である。
【０１０３】
時刻ｔ７において電圧ＶＨが０になるとシステムメインリレーＳＲＢがオフする。これにより遮断処理が終了する。
【０１０４】
なお、図５には示していないが、システムメインリレーの接続および遮断に加えてシステムメインリレーの溶着判定を行なってもよい。図５は、各システムメインリレーが正常であるときの電圧ＶＨの変化を示しているが、システムメインリレーのいずれかが溶着した場合には、電圧ＶＨの変化が図５に示すＶＨの挙動と異なる。これによって各システムメインリレーの溶着を判定することができる。
【０１０５】
たとえば時刻ｔ１以前には、システムメインリレーＳＲＰ，ＳＲＧ（またはシステムメインリレーＳＲＢ，ＳＲＰ）の溶着判定が行なわれる。また、時刻ｔ１〜ｔ４の期間においてシステムメインリレーＳＲＰの溶着判定が行なわれる。また、時刻ｔ５〜ｔ７の期間においてシステムメインリレーＳＲＧの溶着判定が行なわれる。
【０１０６】
続いて、本実施の形態に係る蓄電装置の充電制御について説明する。図６は、本実施の形態による蓄電装置の充電処理を説明するフローチャートである。なお、このフローチャートに示す処理は、所定の条件の成立時（たとえば、充電ケーブル３００によって電源４０２とハイブリッド車両とが接続されたとき）にＥＣＵ３０により実行される。
【０１０７】
図６を参照して、まず主蓄電装置ＢＡを充電するための処理が実行される（ステップＳ１）。次に副蓄電装置ＢＢ１を充電するための処理が行なわれる（ステップＳ２）。続いて、副蓄電装置ＢＢ２を充電するための処理が行なわれる（ステップＳ３）。なお、副蓄電装置ＢＢ１，ＢＢ２を充電する順序は図６に示したように限定されるものではない。そして、副蓄電装置ＢＢ１，ＢＢ２の充電が終了すると、主蓄電装置ＢＡを再度充電する（ステップＳ４）。主蓄電装置ＢＡの再充電の完了後、ＩＤが１に設定される（ステップＳ５）。ステップＳ５の処理が終了すると全体の処理が終了する。
【０１０８】
ステップＳ１では、主蓄電装置ＢＡが予備的に充電される。ステップＳ１の処理は、副蓄電装置ＢＢ１，ＢＢ２の充電に先立って、主蓄電装置ＢＡにある程度の電力を蓄積するためのものである。副蓄電装置ＢＢ１，ＢＢ２が充電される間に、主蓄電装置ＢＡに蓄積された電力が補機等によって消費される。このためステップＳ４では、主蓄電装置ＢＡが再び充電される。
【０１０９】
図７は、図６のフローチャートに示した処理に対応するタイミングチャートである。図７を参照して、時刻ｔ１１において主蓄電装置ＢＡに対応するシステムメインリレー（ＳＭＲ）がオフ状態からオン状態になる。なお図７においては、図５に示した接続処理をシステムメインリレー（ＳＭＲ）の波形のオフからオンへの遷移として表わし、図５に示した遮断処理をシステムメインリレーの波形におけるオンからオフへの遷移で表わすものとする。
【０１１０】
時刻ｔ１１において主蓄電装置ＢＡ側のシステムメインリレーがオンすることによって、主蓄電装置ＢＡが正極ラインＰＬ１および負極ラインＮＬに接続される。一方、副蓄電装置ＢＢ１，ＢＢ２のシステムメインリレーはいずれもオフである。これにより、主蓄電装置ＢＡのみが充電される。この結果、主蓄電装置ＢＡの残存容量が初期値Ａから所定値Ｂまで上昇する。ＳＯＣの値が所定値Ｂに達すると、ＥＣＵ３０は、主蓄電装置ＢＡの充電が終了したと判断する。
【０１１１】
時刻ｔ１２において副蓄電装置ＢＢ１側のシステムメインリレーがオンする。これにより、副蓄電装置ＢＢ１の充電が開始される。後述するように、主蓄電装置ＢＡの充電完了後には、充電器２４０からの電力が主蓄電装置ＢＡに供給されないようコンバータ１０，１２が制御される。副蓄電装置ＢＢ１の充電時に主蓄電装置ＢＡと副蓄電装置ＢＢ１とが導通すると、これらの間に短絡電流が流れる可能性がある。コンバータ１０，１２を停止することによって、このような問題を防ぐことができる。また、副蓄電装置ＢＢ１の充電時に副蓄電装置ＢＢ１，ＢＢ２が導通すると、これらの間に短絡電流が流れる可能性がある。副蓄電装置ＢＢ１側のシステムメインリレーのオン時には、副蓄電装置ＢＢ２側のシステムメインリレーがオフ状態となる。したがって、副蓄電装置ＢＢ１，ＢＢ２間で短絡電流が流れることを回避できる。
【０１１２】
時刻ｔ１３において副蓄電装置ＢＢ１の充電が完了する。これにより副蓄電装置ＢＢ１側のシステムメインリレーがオフする。続いて、時刻ｔ１４において副蓄電装置ＢＢ２側のシステムメインリレーがオンとなり副蓄電装置ＢＢ２の充電が開始される。このときにも副蓄電装置ＢＢ１，ＢＢ２間で短絡電流が流れることを回避できる。時刻ｔ１５において副蓄電装置ＢＢ２の充電が完了すると、副蓄電装置ＢＢ２側のシステムメインリレーがオフする。
【０１１３】
ここで、副蓄電装置ＢＢ１，ＢＢ２を充電する期間、すなわち時刻ｔ１２〜ｔ１５の期間において、補機１６の動作が継続される場合がある。たとえば補機１６が時計である場合、常時動作させるために補機１６への電力の供給が必要となる。さらに図１に示したように、補機バッテリＳＢに蓄積された電力（電圧ＶＤ）はＥＣＵ３０に供給される。副蓄電装置ＢＢ１，ＢＢ２を充電する間、ＥＣＵ３０が充電器２４０を制御しなければならない。したがって、この期間にも補機バッテリＳＢからＥＣＵ３０に電力が供給される。副蓄電装置ＢＢ１，ＢＢ２を充電する間に主蓄電装置ＢＡ側のシステムメインリレーをオフした場合、補機１６およびＥＣＵ３０の電力消費によって補機バッテリＳＢが上がる（いわゆるバッテリ上がりが生じる）可能性がある。
【０１１４】
この問題を防ぐために、本実施の形態では、副蓄電装置ＢＢ１，ＢＢ２が充電される間、ＥＣＵ３０は、主蓄電装置ＢＡ側のシステムメインリレー（接続部７２）をオン状態に保つとともに、コンバータ１４による電圧変換動作を継続する。これにより、主蓄電装置ＢＡに蓄積された電力が補機１６およびＥＣＵ３０によって消費されるので、主蓄電装置ＢＡの残存容量は所定値Ｂから低下する。したがって、時刻ｔ１５において、主蓄電装置ＢＡの再充電が開始される。再充電によって、主蓄電装置ＢＡの残存容量は所定値Ｂに回復する。主蓄電装置ＢＡの残存容量が所定値Ｂに達すると主蓄電装置ＢＡ側のシステムメインリレーがオフする（時刻ｔ１６）。
【０１１５】
すなわち、時刻ｔ１１〜ｔ１２における主蓄電装置ＢＡの充電は、副蓄電装置ＢＢ１，ＢＢ２を充電する間における補機１６およびＥＣＵ３０の駆動電力を確保するための充電である。時刻ｔ１１〜ｔ１２における主蓄電装置ＢＡの充電は、図６のステップＳ１の処理に対応する。
【０１１６】
時刻ｔ１２〜ｔ１３における副蓄電装置ＢＢ１の充電は、図６のステップＳ２の処理に対応する。時刻ｔ１４〜ｔ１５における副蓄電装置ＢＢ２の充電は、図６のステップＳ３の処理に対応する。
【０１１７】
時刻ｔ１５〜ｔ１６における主蓄電装置ＢＡの充電は、副蓄電装置ＢＢ１，ＢＢ２の充電の間に消費された電力を補填するための充電である。時刻ｔ１５〜ｔ１６における主蓄電装置ＢＡの充電は、図６のステップＳ４の処理に対応する。
【０１１８】
このように、本実施の形態では、副蓄電装置（副蓄電装置ＢＢ１，ＢＢ２）の充電中においても主蓄電装置（主蓄電装置ＢＡ）のシステムメインリレー（接続部７２）をオン状態に保つとともに、コンバータ１４による電圧変換動作を継続させる。これによって、副蓄電装置の充電期間に補機（ＥＣＵも含む）の動作を継続することができるとともに、補機バッテリＳＢが上がることを回避することができる。仮に、補機バッテリが上がったためにＥＣＵ３０が停止してしまうと、副蓄電装置ＢＢ１，ＢＢ２の充電が不可能となるばかりでなく車両システムの制御にも影響が生じることが予想される。本実施の形態によれば、このような問題を回避することができる。
【０１１９】
図８は、図６および図７に示す蓄電装置の充電処理をより詳細に説明するタイミングチャートである。
【０１２０】
図８を参照して、時刻ｔ１１〜ｔ１６の期間は、図７に示した時刻ｔ１１〜ｔ１６の期間に対応する。また、図８においては、図７と同様に、図５に示した接続処理をシステムメインリレー（ＳＭＲ）の波形のオフからオンへの遷移として表わし、図５に示した遮断処理をシステムメインリレーの波形におけるオンからオフへの遷移で表わすものとする。
【０１２１】
時刻ｔ１１において、ＥＣＵ３０は信号ＣＮ１を接続部７２に送信して、主蓄電装置ＢＡ側のシステムメインリレー（ＳＭＲ）をオフ状態からオン状態にする。時刻ｔ２１において、ＥＣＵ３０は、パイロット信号ＣＰＬＴの電位を変化させる。これによりコントロールパイロット回路３３４はＣＣＩＤ３３０に設けられたリレー３３２をオンする。時刻ｔ２２において、ＥＣＵ３０は、コンバータ（ＣＮＶ）１０に信号ＵＡ１を送信して、コンバータ１０の上アームをオン状態に固定する。さらに、時刻ｔ２３においてＥＣＵ３０は信号ＣＨＧを充電器２４０に送信して、充電器２４０の動作を開始させる（充電器２４０をオンする）。これにより、主蓄電装置ＢＡの充電が開始される。
【０１２２】
ここで、図２を参照して、主蓄電装置ＢＡが充電される場合、電源４０２、充電ケーブル３００および充電器２４０を介して正極ラインＰＬ２に電力が供給される。正極ラインＰＬ２に供給された電力は、リアクトルＬ２、ダイオードＤ３、スイッチング素子Ｑ１（上アーム）、リアクトルＬ１、正極ラインＰＬ１および接続部７２を介して主蓄電装置ＢＡに供給される。
【０１２３】
ＥＣＵ３０（充電制御部３１）は、主蓄電装置ＢＡの残存容量（ＳＯＣ１）を検出する。時刻ｔ２４において主蓄電装置ＢＡの残存容量が所定値Ｂに達すると、ＥＣＵ３０は充電器２４０を停止する（オフする）。そして、ＥＣＵ３０はコンバータ１０に信号ＳＤ１を送り、コンバータ１０を停止する。したがって、時刻ｔ２５において、コンバータ１０の上アームはオン状態からオフ状態になる。
【０１２４】
コンバータ１０，１２は時刻ｔ２５において停止している。その後、コンデンサＣのディスチャージ（図中、ＤＣと示す）のため、ＥＣＵ３０は、コンバータ１２の下アームを所定期間動作させる。その後、ＥＣＵ３０は、コンバータ１２に信号ＳＤ２を送信してコンバータ１２を停止させる。
【０１２５】
次に、時刻ｔ１２において、ＥＣＵ３０は信号ＣＮ２を接続部７４に送信して、副蓄電装置ＢＢ１側のシステムメインリレーをオンさせる。時刻ｔ１２においても、主蓄電装置ＢＡ側のシステムメインリレーはオン状態のままである。したがって、補機１６およびＥＣＵ３０の駆動に必要な電力を主蓄電装置ＢＡ（およびコンバータ１４）により供給することができる。副蓄電装置ＢＢ１側のシステムメインリレーがオンした後に、ＥＣＵ３０は充電器２４０を動作させる（充電器２４０をオンさせる）。これにより副蓄電装置ＢＢ１が充電される。
【０１２６】
副蓄電装置ＢＢ１の充電時には、コンバータ１０が停止しているので、主蓄電装置ＢＡには電源４０２からの電力は供給されない。副蓄電装置ＢＢ１の残存容量（ＳＯＣ２）が所定値に達すると、ＥＣＵ３０は、充電器２４０を停止させる（オフする）。その後、コンバータ１２によって、コンデンサＣのディスチャージが行なわれる。コンデンサＣのディスチャージの終了後、ＥＣＵ３０は、副蓄電装置ＢＢ１側のシステムメインリレーをオフする（時刻ｔ１３）。
【０１２７】
続いて時刻ｔ１４において、ＥＣＵ３０は信号ＣＮ３を接続部７６に送信して、副蓄電装置ＢＢ２側のシステムメインリレーをオンさせる。時刻ｔ１４においても、主蓄電装置ＢＡ側のシステムメインリレーはオン状態のままである。したがって、補機１６およびＥＣＵ３０の駆動に必要な電力を主蓄電装置ＢＡ（およびコンバータ１４）により供給することができる。
【０１２８】
副蓄電装置ＢＢ２側のシステムメインリレーがオンした後に、ＥＣＵ３０は充電器２４０を動作させる（充電器２４０をオンさせる）。これにより副蓄電装置ＢＢ２が充電される。副蓄電装置ＢＢ２の残存容量（ＳＯＣ３）が所定値に達すると、ＥＣＵ３０は、充電器２４０を停止させる（オフする）。その後、コンバータ１２によって、コンデンサＣのディスチャージが行なわれる。コンデンサＣのディスチャージの終了後、ＥＣＵ３０は、副蓄電装置ＢＢ２側のシステムメインリレーをオフする（時刻ｔ１５）。
【０１２９】
その後、ＥＣＵ３０は、コンバータ１０に信号ＵＡ１を送信して、コンバータ１０の上アームをオンする。さらにＥＣＵ３０は、充電器２４０に信号ＣＨＧを送り、充電器２４０を動作させる（オンする）。これによって、時刻ｔ２２〜ｔ２５の期間と同様に、主蓄電装置ＢＡが充電される。主蓄電装置ＢＡの残存容量（ＳＯＣ１）が所定値Ｂに達すると、ＥＣＵ３０は充電器２４０を停止させる（オフする）。次に、ＥＣＵ３０は、コンバータ１０に信号ＳＤ１を送信してコンバータ１０の上アームをオフする。その後、ＥＣＵ３０は、パイロット信号ＣＰＬＴの電位を変化させる。これによりコントロールパイロット回路３３４は、ＣＣＩＤ３３０に設けられたリレー３３２をオフする。時刻ｔ１６においてＥＣＵ３０は、主蓄電装置ＢＡ側のシステムメインリレーをオフする。
【０１３０】
図９は、ＥＣＵ３０が蓄電装置を充電する処理を実行する場合におけるＥＣＵ３０の状態の遷移を示す状態遷移図である。図９を参照して、蓄電装置の充電が開始されるときにおいては、ＥＣＵ３０の状態は開始状態である。たとえば車両が充電ケーブル３００により電源４０２に接続され、かつＣＣＩＤ３３０における所定の制御処理（パイロット信号ＣＰＬＴの送信など）が完了すると、ＥＣＵ３０が開始状態となる。
図６に示したフローチャートに従って複数の蓄電装置の充電が正常に終了した場合、ＥＣＵ３０の状態は開始状態から正常終了状態に遷移する。正常終了状態において、ＥＣＵ３０はＩＤを１に設定する。
【０１３１】
一方、複数の蓄電装置のいずれかの充電中、あるいは、充電対象の蓄電装置を変更する途中において図６に示した充電処理を中断するための中断要求が発生した場合、充電対象の蓄電装置の充電処理を中断するための中断条件が成立する。中断条件の成立時には、ＥＣＵ３０の状態は開始状態から中断状態に遷移する。中断状態において、ＥＣＵ３０はＩＤを２に設定する。
【０１３２】
中断要求は、たとえば外的要因によって充電処理を中断させる必要が生じた場合に発生される。たとえば停電が生じた場合、あるいはプラグ３２０がコンセント４００から外れた場合、あるいはコネクタ３１０がインレット２５０から外れた場合には、外部電源から車両に電力を供給できない。したがってこのような場合に、中断要求が発生される。
【０１３３】
本実施の形態では、充電対象の蓄電装置を変更する途中において中断要求が発生しても、充電対象の蓄電装置を変更するための接続部の処理は継続される。すなわち充電対象の蓄電装置を第１の蓄電装置から第２の蓄電装置に切換える途中で中断要求が発生した場合には、ＥＣＵ３０は、充電済みの蓄電装置（第１の蓄電装置）に対応する接続部（第１の接続部）を非導通状態に設定する。さらにＥＣＵ３０は、新たに選択された充電対象の蓄電装置（第２の蓄電装置）に対応する接続部（第２の接続部）を導通状態に設定する。
【０１３４】
ＥＣＵ３０は、充電対象の蓄電装置を変更するための第１および第２の接続部の制御処理が完了すると、充電装置（充電器２４０およびコンバータ１０，１２）の動作を停止させる。充電装置（充電器２４０およびコンバータ１０，１２）の停止後に、ＥＣＵ３０はＩＤを２に設定する。さらにＥＣＵ３０の状態は中断状態となる。
【０１３５】
上記のように、中断要求の発生にかかわらず充電対象の蓄電装置を変更するための接続部の制御処理を継続することによって、円滑に充電処理を再開できる。この点については後に詳細に説明する。
【０１３６】
ＥＣＵ３０の状態が中断状態であるときに再開条件が成立した場合、ＥＣＵ３０の状態は、開始状態に一旦戻る。そしてＥＣＵ３０は、充電処理を再開する。具体的には、ＥＣＵ３０は、外部電源から車両に電力が供給されるように充電装置を制御する。充電対象の蓄電装置を変更するための第１および第２の接続部の制御処理は既に完了している。すなわち充電対象の蓄電装置は既に変更されている。したがって、外部電源から車両に電力が供給されるように充電装置を制御するだけで充電処理を再開できるので、充電処理を円滑に再開できる。
【０１３７】
また、充電を強制的に終了するための終了要求が発生した場合、充電処理を強制終了するための終了条件が成立する。たとえば図１に示す車両システムに漏電が発生したことが検出された場合、終了要求が発生する。終了条件の成立時には、ＥＣＵ３０の状態は現在の状態（開始状態あるいは中断状態）から終了状態へとただちに移行する。終了状態において、ＥＣＵ３０はすべての接続部（システムメインリレー）を一斉にオフするとともにＩＤを３に設定する。
【０１３８】
図１０は、充電制御部３１の構成を示す機能ブロック図である。
図１０を参照して、充電制御部３１は、切換制御部１０１と、終了要求生成部１０２と、中断要求生成部１０３と、停止／再開処理部１０４と、表示処理部１０５と、ステータス情報生成部１０６とを含む。
【０１３９】
切換制御部１０１は、終了要求生成部１０２から終了要求ＴＲＱを受けると、リレー制御部３２に対して接続部７２，７４，７６に含まれるすべてのシステムメインリレーを遮断するための指示を出力するとともに、停止／再開処理部１０４に対して充電器２４０を停止させるための指示を送る。
【０１４０】
切換制御部１０１は、ラッチフラグＬＦ（中断要求ラッチフラグ）を記憶する。切換制御部１０１は、中断要求生成部１０３から中断要求ＳＲＱを受けると、ラッチフラグＬＦ（中断要求ラッチフラグ）をオンするとともに停止／再開処理部１０４に対して充電器２４０を停止させるための指示を送る。切換制御部１０１は、中断要求ＳＲＱの発生が継続する間、ラッチフラグＬＦをオン状態に保つ。そして切換制御部１０１は、所定時間にわたり中断要求ＳＲＱが発生していない場合にラッチフラグＬＦをオフする。
【０１４１】
切換制御部１０１は、中断要求生成部１０３による中断要求ＳＲＱの発生後に、充電処理を再開するための所定の再開条件が成立した場合には、停止／再開処理部１０４に対して、充電器２４０を起動させるための指示を送る。充電器２４０はこの指示に応じて動作を再開する。たとえば所定の再開条件は、ラッチフラグＬＦがオフすることによって成立する。
【０１４２】
切換制御部１０１は、充電対象の蓄電装置を切換える際において、遮断対象のシステムメインリレーが遮断済みであるか否かを判定する。すなわち、切換制御部１０１は充電済みの蓄電装置に対応する第１の接続部に含まれるシステムメインリレーがオフしているか否かを判定する。第１の接続部に含まれるシステムメインリレーがオフ状態でない場合、切換制御部１０１は、第１の接続部に対する遮断要求を発生させる。リレー制御部３２は、その遮断要求に応じて、第１の接続部に含まれるシステムリレーをオフするための遮断処理（図５に示した遮断処理）を実行する。
【０１４３】
さらに切換制御部１０１は、接続対象のシステムメインリレーが接続済みであるか否かを判定する。すなわち、切換制御部１０１は充電対象の蓄電装置に対応する第２の接続部に含まれるシステムメインリレーがオンしているか否かを判定する。第２の接続部に含まれるシステムメインリレーがオン状態でない場合、切換制御部１０１は、第２の接続部に対する接続要求を発生させる。リレー制御部３２は、その接続要求に応じて、第２の接続部に含まれるシステムリレーをオンするための接続処理（図５に示した接続処理）を実行する。
【０１４４】
切換制御部１０１は、充電処理の終了結果を示すＩＤを設定して、そのＩＤを記憶部３５に記憶させる。充電処理が正常終了した場合、切換制御部１０１は、ＩＤを１に設定する。中断要求ＳＲＱが発生した場合、切換制御部１０１はＩＤを２に設定する。すなわち、充電処理が中断された場合、ＩＤは２となる。また、終了要求が発生した場合、切換制御部１０１はＩＤを３に設定する。すなわち、充電処理が強制終了した場合、ＩＤは３となる。
【０１４５】
終了要求生成部１０２は、所定の充電処理（図６参照）を強制的に終了するための終了条件が成立した場合に、終了要求ＴＲＱを生成する。たとえば、図１に示す車両システムに漏電が生じた場合、終了要求生成部１０２は、終了条件が成立したと判定して終了要求ＴＲＱを生成する。なお、漏電の有無は、たとえば主蓄電装置ＢＡに漏電検出器（図１に示さず）を接続することによって検出することができる。終了要求生成部１０２は、その漏電検出器の検出結果に基づいて漏電の有無を判定する。
【０１４６】
中断要求生成部１０３は、充電対象の蓄電装置を充電する充電処理を中断するための所定の中断条件が成立した場合に、中断要求ＳＲＱを生成する。所定の中断条件としては、停電が生じたという条件、プラグ３２０がコンセント４００から外れたという条件、コネクタ３１０がインレット２５０から外れたという条件の少なくとも１つを適用できる。これらのいずれの場合においても外部電源からの電力供給が中断される。外部電源からの電力供給が中断された場合、図３に示す電圧センサ１８８（および電圧センサ１８２）の検出値が低下する（たとえば検出値が０となる）。中断要求生成部１０３は、電圧センサ１８８（および電圧センサ１８２）の検出値の低下に応じて中断要求ＳＲＱを生成する。
【０１４７】
また、所定の中断条件としては、蓄電装置の温度が下限値を下回ったという条件、および蓄電装置の温度が上限値を上回ったという条件のいずれかを適用できる。中断要求生成部１０３は、温度センサ６２，６４，６６（図１参照）のいずれかの検出値が下限値を下回ったり、上限値を上回ったりした場合に中断要求ＳＲＱを生成する。
【０１４８】
停止／再開処理部１０４は、充電器２４０による電力供給の停止および再開を制御する。停止／再開処理部１０４は、切換制御部１０１から充電を停止するための指示を受けると、充電器２４０による電力供給が停止するように、充電器２４０を制御する。一方、停止／再開処理部１０４は、切換制御部１０１から充電を再開するための指示を受けると、充電器２４０による電力供給が実行されるように、充電器２４０を制御する。したがって、中断要求ＳＲＱあるいは終了要求ＴＲＱの発生時には、切換制御部１０１および停止／再開処理部１０４によって充電器２４０による電力供給が停止する。
【０１４９】
表示処理部１０５は、指令ＩＧＯＮに応じて、記憶部３５に記憶されたＩＤを読み出す。そして表示処理部１０５は、その読み出されたＩＤに応じた情報を表示装置９０に送る。表示装置９０は、その情報を表示する。これにより表示装置９０は、充電処理が正常に終了したことを示す情報、充電処理が中断されたことを示す情報、および、充電処理が強制的に終了した（非常停止した）ことを示す情報のいずれかを表示する。
【０１５０】
ステータス情報生成部１０６は、リレー制御部３２からの信号ＣＮ１〜ＣＮ３に基づいて、接続部７２，７４，７６の各々のオン状態およびオフ状態を示すステータス情報ＳＴを生成する。なお、「接続部のオン状態」とは、図５に示す接続処理が完了したときの接続部の状態を意味する。「接続部のオフ状態」とは、図５に示す遮断処理が終了したときの接続部の状態を意味する。ステータス情報生成部１０６は、その生成したステータス情報ＳＴを切換制御部１０１に送る。これにより切換制御部１０１は、接続部７２，７４，７６の各々のオン状態およびオフ状態を判定する。
【０１５１】
図１１は、充電制御部３１により実行される制御処理を説明するフローチャートである。このフローチャートに示す処理は、所定の周期ごとにメインルーチンより呼び出されて実行される。
【０１５２】
図１１を参照して、ステップＳ１０において、切換制御部１０１は、終了要求ＴＲＱが発生したか否かを判定する。切換制御部１０１は、終了要求生成部１０２から終了要求ＴＲＱを受けることにより終了要求ＴＲＱが発生したと判定する。切換制御部１０１は、終了要求ＴＲＱが発生したと判定した場合（ステップＳ１０においてＹＥＳ）、接続部７２，７４，７６に含まれるシステムメインリレーをすべて遮断するようにリレー制御部３２に指示する。リレー制御部３２は切換制御部１０１の指示に応じて、接続部７２，７４，７６に含まれるすべてのシステムメインリレー（ＳＭＲ）を遮断するための信号ＣＮ１〜ＣＮ３を出力する。信号ＣＮ１〜ＣＮ３に応じて、すべてのシステムメインリレーが遮断（オフ）する（ステップＳ１１）。
【０１５３】
すべてのシステムメインリレーが遮断されると、切換制御部１０１はＩＤを３に設定する。さらに切換制御部１０１は、その設定したＩＤを記憶部３５に記憶させる（ステップＳ１２）。ステップＳ１３の処理が終了すると、全体の処理が終了する。
【０１５４】
一方、切換制御部１０１は、終了要求生成部１０２から終了要求ＴＲＱを受けていない場合には、終了要求ＴＲＱが発生していないと判定する。この場合（ステップＳ１０においてＮＯ）、切換制御部１０１は、充電対象の蓄電装置を切換る処理が実行中であるか否かを判定する（ステップＳ２１）。
【０１５５】
具体的には、切換制御部１０１は、ステータス情報生成部１０６が生成したステータス情報ＳＴに基づいて、接続部７２，７４，７６のうち、充電済みの蓄電装置（切換前の蓄電装置）に対応する第１の接続部がオフしているか否かを判定する。さらに、切換制御部１０１は、ステータス情報生成部１０６が生成したステータス情報ＳＴに基づいて、接続部７２，７４，７６のうち、充電対象の蓄電装置（切換後の蓄電装置）に対応する第２の接続部がオンしているか否かを判定する。
【０１５６】
第１の接続部がオンである場合、または、第１および第２の接続部がともにオフである場合、切換制御部１０１は、充電対象の蓄電装置の切換処理が実行中である（蓄電装置の切換中）と判定する。この場合（ステップＳ２１においてＹＥＳ）、処理はステップＳ２２に進む。第１の接続部がオフかつ第２の接続部がオンである場合、切換制御部１０１は、充電対象の蓄電装置の切換処理が終了したと判定する。この場合（ステップＳ２１においてＮＯ）、処理はステップＳ３１に進む。
【０１５７】
ステップＳ２２において、切換制御部１０１は、中断要求ＳＲＱが発生中であるか否かを判定する。中断要求生成部１０３は、上記の「所定の中断条件」が満たされる間、中断要求ＳＲＱを発生し続ける。切換制御部１０１は、中断要求生成部１０３から中断要求ＳＲＱを受けることにより中断要求ＳＲＱが発生中であると判定する。
【０１５８】
切換制御部１０１は、中断要求ＳＲＱが発生中であると判定した場合（ステップＳ２２においてＹＥＳ）、ラッチフラグＬＦをオンする（ステップＳ２３）。次に切換制御部１０１は、ステップＳ２４の処理を実行する。一方、中断要求ＳＲＱが発生していないと切換制御部１０１が判定した場合（ステップＳ２２においてＮＯ）、ステップＳ２３の処理はスキップされて、ステップＳ２４の処理が実行される。
【０１５９】
ステップＳ２４において、切換制御部１０１は、遮断対象のシステムメインリレー、すなわち第１の接続部（たとえば接続部７２）に含まれるシステムメインリレー（ＳＭＲ）が遮断済みか否かを判定する。切換制御部１０１は、ステータス情報生成部１０６により生成されたステータス情報ＳＴに基づいて、第１の接続部がオン状態およびオフ状態のいずれであるかを把握する。第１の接続部がオフ状態である場合、すなわち遮断対象のシステムメインリレーが遮断済みである場合（ステップＳ２４においてＹＥＳ）、処理はステップＳ２６に進む。一方、第１の接続部がオン状態である場合、すなわち遮断対象のシステムメインリレーの遮断が完了していない場合（ステップＳ２４においてＮＯ）、切換制御部１０１は、その遮断対象のシステムメインリレーを遮断するための遮断要求を生成して、その遮断要求をリレー制御部３２に送信する（ステップＳ２５）。リレー制御部３２は切換制御部１０１からの遮断要求に応じて、図５に示す遮断処理を実行する。これにより、遮断対象のシステムメインリレーがオフされる。
【０１６０】
ステップＳ２６において、切換制御部１０１は、接続対象のシステムメインリレー、すなわち第２の接続部（たとえば接続部７４）に含まれるシステムメインリレー（ＳＭＲ）が接続済みか否かを判定する。切換制御部１０１は、ステータス情報生成部１０６により生成されたステータス情報ＳＴに基づいて、第２の接続部がオン状態およびオフ状態のいずれであるかを把握する。第２の接続部がオン状態である場合、すなわち接続対象のシステムメインリレーが接続済みである場合（ステップＳ２６においてＹＥＳ）、処理はステップＳ２８に進む。一方、第２の接続部がオフ状態である場合、すなわち接続対象のシステムメインリレーの接続が完了していない場合（ステップＳ２６においてＮＯ）、切換制御部１０１は、その接続対象のシステムメインリレーを接続するための接続要求を生成して、その接続要求をリレー制御部３２に送信する（ステップＳ２７）。リレー制御部３２は切換制御部１０１からの接続要求に応じて、図５に示す接続処理を実行する。これにより、接続対象のシステムメインリレーがオンされる。
【０１６１】
ステップＳ２８において、切換制御部１０１は、システムメインリレーの接続の切換が終了したことを判定（確認）するための処理を実行する。詳細には、切換制御部１０１は、ステータス情報生成部１０６が生成したステータス情報ＳＴに基づいて遮断対象のシステムメインリレーが遮断済みであるとともに接続対象のシステムメインリレーが接続済みであることを判定（確認）する。ステップＳ２５，Ｓ２７，Ｓ２８の処理が終了すると、全体の処理はメインルーチンに戻される。
【０１６２】
さらにステップＳ２１において蓄電装置の切換が実行されていないと判定された場合（ステップＳ２１においてＮＯ）、処理はステップＳ３１に進む。ステップＳ３１において、切換制御部１０１は、ラッチフラグＬＦがオンしているか否かを判定する。ラッチフラグＬＦがオンしている場合（ステップＳ３１においてＹＥＳ）、処理はステップＳ３３に進む。一方、ラッチフラグＬＦがオフしている場合（ステップＳ３１においてＮＯ）、処理はステップＳ３２に進む。
【０１６３】
ステップＳ３２において、切換制御部１０１は、中断要求ＳＲＱが発生中か否かを判定する。この判定処理はステップＳ２２における処理と同様の処理である。中断要求ＳＲＱが発生中であると判定された場合（ステップＳ３２においてＹＥＳ）、処理はステップＳ３３に進む。一方、中断要求ＳＲＱが発生していないと判定された場合（ステップＳ３２においてＮＯ）、全体の処理はメインルーチンに戻される。
【０１６４】
ステップＳ３３において、切換制御部１０１は、中断要求ＳＲＱが一定時間発生していないか否かを判定する。中断要求ＳＲＱが発生していない時間が上記の一定時間に達していない場合（ステップＳ３３においてＮＯ）、処理は、後述するステップＳ３５に進む。たとえばステップＳ３２において中断要求ＳＲＱありと判定された場合（ステップＳ３２においてＹＥＳ）、「中断要求が発生していない時間」とは上記の一定時間よりも短い。
【０１６５】
一方、中断要求ＳＲＱが一定時間発生していないと判定された場合（ステップＳ３３においてＹＥＳ）、切換制御部１０１は、ラッチフラグＬＦをオフする（ステップＳ３４）。
【０１６６】
図１２は、中断要求ＳＲＱとラッチフラグＬＦとの関係を示す第１の波形図である。
図１２を参照して、中断要求ＳＲＱがオフ状態からオン状態に変化する。中断要求ＳＲＱがオン状態になるということは、中断要求ＳＲＱが発生しているということと等価である。中断要求ＳＲＱのオフ状態からオン状態への変化に同期して、ラッチフラグＬＦがオフ状態からオン状態に変化する。
【０１６７】
図１３は、中断要求ＳＲＱとラッチフラグＬＦとの関係を示す第２の波形図である。
図１３を参照して、中断要求ＳＲＱがオン状態からオフ状態に変化する。中断要求ＳＲＱがオフ状態であるということは、中断要求が発生していないということと等価である。
【０１６８】
中断要求ＳＲＱがオン状態からオフ状態に変化しても、ラッチフラグＬＦはオン状態からオフ状態へとすぐに変化しない。図１３に示すように、中断要求ＳＲＱがオン状態からオフ状態に変化し、さらに中断要求ＳＲＱのオフ状態が一定時間（Ｔ）継続された場合に、ラッチフラグＬＦはオン状態からオフ状態に変化する。
【０１６９】
図１１に戻り、ステップＳ３３においてＮＯの場合、およびステップＳ３４の処理が終了した場合には、ステップＳ３５の処理が実行される。ステップＳ３５では、切換制御部１０１は、蓄電装置の充電を待機させるための処理を実行する。具体的には、切換制御部１０１は、停止／再開処理部１０４に対して電力の供給を停止するよう指示する。停止／再開処理部１０４は、切換制御部１０１からの指示に応じて充電器２４０を制御することにより、充電器２４０からの電力の供給を停止させる。また、切換制御部１０１は、ＩＤを２に設定するとともに、そのＩＤを記憶部３５に記憶させる。
【０１７０】
ステップＳ３５の処理が終了すると、全体の処理はメインルーチンに戻される。
次に、図１１を参照しながら、本実施の形態に係る蓄電装置の充電処理について説明する。
【０１７１】
（１）蓄電装置の充電処理が正常に実行される場合
この場合、終了要求ＴＲＱおよび中断要求ＳＲＱのいずれも発生しない。したがってステップＳ１０の判定処理においては、「ＮＯ」との判定結果が得られる。蓄電装置の切換処理を実行中である場合（ステップＳ２１においてＹＥＳ）、処理はステップＳ２２に進む。中断要求ＳＲＱが発生していないため（ステップＳ２２においてＮＯ）、ステップＳ２４の処理が実行される。
【０１７２】
遮断対象のシステムメインリレーがまだ遮断されていない場合（ステップＳ２４においてＮＯ）、遮断要求が発生され（ステップＳ２５）、処理はメインルーチンに戻される。リレー制御部３２は遮断要求に応じて遮断対象のシステムメインリレーを遮断する。したがって次回のルーチンでは、遮断対象のシステムメインリレーが遮断済みとなる。
【０１７３】
遮断対象のシステムメインリレーが遮断済みであれば（ステップＳ２４においてＹＥＳ）、接続対象のシステムメインリレーが接続済みであるかどうかが判定される（ステップＳ２６）。ステップＳ２６，Ｓ２７の処理は、ステップＳ２４，Ｓ２５の処理と同様である。すなわち接続対象のシステムメインリレーがまだ接続されていない場合（ステップＳ２６においてＮＯ）、接続要求が発生され（ステップＳ２７）、処理はメインルーチンに戻される。リレー制御部３２は接続要求に応じて接続対象のシステムメインリレーを接続する。したがって次回のルーチンでは、接続対象のシステムメインリレーが接続済みとなる。すなわち、充電済みの蓄電装置は、接続部（システムメインリレー）によって、対応するコンバータ（コンバータ１０または１２）から切り離され、新たに選択された蓄電装置が接続部（システムメインリレー）によって、対応するコンバータに接続される。
【０１７４】
そして、遮断対象のシステムメインリレーが遮断され、かつ接続対象のシステムメインリレーが接続されると、切換終了判定が実行され（ステップＳ２８）、充電対象の蓄電装置の切換えが完了する。充電対象の蓄電装置の切換完了後は、ステップＳ１０，Ｓ２１，Ｓ３１，Ｓ３２の順に処理が繰返される。この場合、ステップＳ１０，Ｓ２１，Ｓ３１，Ｓ３２の判定処理での判定結果はいずれも「ＮＯ」である。したがって、蓄電装置の充電が継続される。
【０１７５】
（２）蓄電装置の充電処理が中断される場合
この場合には、終了要求ＴＲＱが発生しない一方で中断要求ＳＲＱが発生する。ステップＳ１０の判定処理においては、「ＮＯ」との判定結果が得られる。蓄電装置の切換処理を実行中である場合（ステップＳ２１においてＹＥＳ）、処理はステップＳ２２に進む。中断要求ＳＲＱが発生するため（ステップＳ２２においてＹＥＳ）、ステップＳ２３の処理が実行される。したがってラッチフラグＬＦがオンする。
【０１７６】
続いて上述したステップＳ２４〜Ｓ２８の処理が実行される。したがって、充電済みの蓄電装置は、接続部（システムメインリレー）によって、対応するコンバータから切り離され、新たに選択された蓄電装置が接続部（システムメインリレー）によって、対応するコンバータに接続される。
【０１７７】
このように、充電対象の蓄電装置を第１の蓄電装置から第２の蓄電装置に切換える途中に中断要求が発生した場合には、第１の蓄電装置に対応する第１の接続部が非導通状態に設定され、かつ第２の蓄電装置に対応する第２の接続部が導通状態に設定される。
【０１７８】
蓄電装置の切換完了後には、ステップＳ１０、Ｓ２１、Ｓ３１の順に処理が実行される。ステップＳ２３の処理によりラッチフラグＬＦがオンしたため、処理はステップＳ３１からステップＳ３３に進む。中断要求ＳＲＱが発生し続けているため（ステップＳ３３においてＮＯ）、待機処理が実行される（ステップＳ３５）。ステップＳ３５の処理によって、充電器２４０からの電力供給が停止する。
【０１７９】
中断要求ＳＲＱが発生し続ける間、および中断要求ＳＲＱの発生が終了した時点から一定時間が経過するまでの間は、ステップＳ１０，Ｓ２１，Ｓ３１，Ｓ３３，Ｓ３５の順に処理が繰返して実行される。中断要求ＳＲＱの発生が終了した時点から一定時間が経過すると、処理はステップＳ１０，Ｓ２１，Ｓ３１，Ｓ３３，Ｓ３４、Ｓ３５の順に進む。この場合、ラッチフラグＬＦがオフされる（ステップＳ３４）。
【０１８０】
ラッチフラグＬＦがオフした後には、ステップＳ１０，Ｓ２１，Ｓ３１，Ｓ３２の順に処理が繰返される。つまり、ステップＳ３５の待機処理は実行されない。この場合、切換制御部１０１は充電処理を再開するよう停止／再開処理部１０４に指示する。停止／再開処理部１０４は切換制御部１０１の指示に応じて充電器２４０からの電力供給を再開させる。なお、待機処理の終了後、切換制御部１０１は外部からの再開要求に応じて充電処理を再開するよう停止／再開処理部１０４に指示してもよい。また、たとえば待機処理の実行中に指令ＩＧＯＮが発生した場合、充電処理が中断されたままとなる。
【０１８１】
（３）蓄電装置の充電処理が強制終了される場合
この場合、終了要求ＴＲＱが発生する。したがって、ステップＳ１０の判定処理においては、「ＹＥＳ」との判定結果が得られる。これにより、接続部７２，７４，７６に含まれるすべてのシステムメインリレーが遮断される（ステップＳ１１）。なお、終了要求は充電処理を強制的に終了させるための終了条件が成立した場合には、充電処理の進行状況に関わらず発生する。したがって、充電処理が中断された後に終了条件が成立した場合においても終了要求ＴＲＱが発生する。これにより、接続部７２，７４，７６に含まれるすべてのシステムメインリレーが遮断される。
【０１８２】
本実施の形態では上記（１）〜（３）の処理が実行される。ここで、充電対象の蓄電装置を第１の蓄電装置から第２の蓄電装置に切換える処理、すなわちシステムメインリレーの切換シーケンスの実行中に中断要求が発生した場合、中断時点におけるシステムメインリレーの状態（オンまたはオフ状態）を保持したまま充電処理を中断することが考えられる。この場合、所定時間内にシーケンスが完了しない可能性が高くなる。このため、充電処理を再開できなくなることが起こりうる。
【０１８３】
たとえば図５を参照して、システムメインリレーの遮断処理においては、コンデンサＣのディスチャージを実行する。コンデンサＣのディスチャージ中に処理が中断された場合、コンデンサＣに蓄積された電荷が放出され続けることが考えられる。これにより電圧ＶＨが０になる。
【０１８４】
電圧ＶＨが０になると、電圧センサによって電圧ＶＨの変化が検出できない。したがってシステムメインリレーの溶着を判定できなくなる。溶着判定処理がシステムメインリレーの遮断処理と同時に実行される場合、溶着判定処理が完了しなければ遮断処理も完了できない。遮断処理を完了できない場合、接続処理を続けて実行できなくなるおそれがある。すなわち、システムメインリレーの状態が充電処理の中断時点における状態のまま停滞することが考えられる。この場合、充電処理を再開することは容易ではない。
【０１８５】
また、主蓄電装置ＢＡから副蓄電装置ＢＢ１，ＢＢ２の一方に充電対象を切換える途中において充電処理が中断された場合、温度（たとえば外気温、あるいは蓄電装置の温度）等の要因によって充電対象の蓄電装置が変更される可能性が考えられる。たとえば、充電対象の蓄電装置の切換え当初は、充電対象の蓄電装置として副蓄電装置ＢＢ１が選択されていたとする。しかしながら充電処理の中断中に外気温の低下により副蓄電装置ＢＢ１の温度が、副蓄電装置ＢＢ１の充電には不適な温度に低下したとする。この場合、副蓄電装置ＢＢ１に代えて副蓄電装置ＢＢ２が充電対象の蓄電装置として選択される可能性がある。
【０１８６】
しかしながら、副蓄電装置ＢＢ２を充電対象の蓄電装置として選択することにより、遮断対象の接続部と接続対象の接続部との組み合わせが充電処理の中断前後で変更されたことになる。このためＥＣＵ３０による接続部の制御が破綻する可能性がある。たとえば、コンバータから一旦切り離された蓄電装置をコンバータに再接続したり、１つの接続部をオンしたまま別の接続部をオンしたりすることが考えられる。このような問題を防ぐために、充電処理の中断時点における接続部の状態に応じて、充電処理の再開後に接続部を制御することが考えられる。しかし、充電処理の中断時点における接続部の状態として想定されるすべての場合に対応可能な制御が必要となる。したがって制御が複雑となることが考えられる。このため、充電処理を再開させることが容易ではない。
【０１８７】
また、たとえばシステムメインリレーＳＭＲＰがオンしたままの状態で中断すると、その中断期間中に、システムメインリレーＳＭＲＰに接続された制限抵抗に電流が流れ続ける可能性がある。これによって、制限抵抗での電力消費および制限抵抗の発熱といった課題が発生しうる。
【０１８８】
本実施の形態によれば、充電対象の蓄電装置の切換中に中断要求が発生した場合、接続部による充電対象の蓄電装置の接続の切換を完了させる。すなわちＥＣＵ３０は、充電対象の蓄電装置を変更するための第１および第２の接続部の制御処理を完了させる。さらに、ＥＣＵ３０は、充電装置（充電器２４０、コンバータ１０，１２）から充電対象の蓄電装置への電力供給が停止されるよう充電装置を制御する。これによって、システムメインリレーの状態が充電処理の中断時点における状態のまま停滞することを回避できる。このため外部電源から車両に電力が供給されるように充電装置を制御するだけで充電処理を再開できる。したがって充電処理を円滑に再開できる。また、システムメインリレーＳＭＲＰに接続された制限抵抗に電流が流れ続けることも回避できるので、充電処理が中断された場合に、制限抵抗での電力消費および制限抵抗の発熱を抑制できる。
【０１８９】
また、本実施の形態では、車両への電力供給が停止した場合に中断要求が発生し、車両に電力が供給された場合に中断要求の発生が終了する。たとえば、インレット２５０とコネクタ３１０との接触が不十分である場合、電源４０２から車両への電力供給が途切れがちになることが考えられる。電源４０２から車両への電力供給が途切れがちであるにもかかわらず、中断要求の発生終了後直ちに充電処理を再開させる（充電器２４０を動作させる）場合、充電器２４０の動作および停止が頻繁に繰返される。これにより充電器２４０の発熱あるいは充電器２４０の損傷が生じる可能性がある。このため、蓄電装置の充電を円滑に再開できなくなる。
【０１９０】
本実施の形態では中断要求の発生が終了してから一定時間が経過した後に待機処理が解除され、充電の再開が可能な状態となる。これによって、中断要求が頻繁に発生しても充電器２４０を停止させたままとすることができる。これにより充電器２４０の動作および停止が頻繁に繰返されることを回避できる。したがって、蓄電装置の充電を円滑に再開できる。
【０１９１】
さらに本実施の形態では、充電処理の進行状況（中断状態を含む）に関わらず充電処理を強制的に終了させるための終了条件が成立した場合には、接続部を非導通状態に設定する。これによって、各蓄電装置を充電装置から切り離すことができる。
【０１９２】
さらに本実施の形態によれば、ユーザは充電処理の結果が正常であるか、あるいは異常であるか（中断されたもしくは強制終了した）を確認することができる。
【０１９３】
図１４は、本実施の形態による充電結果の表示処理を説明するフローチャートである。このフローチャートに示す処理は、たとえば一定の周期ごとにメインルーチンから呼び出されて実行される。
【０１９４】
図１４および図１０を参照して、ステップＳ５１において、表示処理部１０５は、指令ＩＧＯＮが入力されたか否かを判定する（ステップＳ５１）。指令ＩＧＯＮが表示処理部１０５に入力されていない場合（ステップＳ５１においてＮＯ）、全体の処理はメインルーチンに戻される。指令ＩＧＯＮが表示処理部１０５に入力された場合（ステップＳ５１においてＹＥＳ）、表示処理部１０５は、記憶部３５に記憶されるＩＤを参照する（ステップＳ５２）。
【０１９５】
次に、表示処理部１０５は、ＩＤが１か否かを判定する（ステップＳ５３）。ＩＤが１である場合（ステップＳ５３においてＹＥＳ）、表示処理部１０５は、充電処理が正常に終了したことを示す情報を表示装置９０に送る。表示装置９０はその情報を表示することにより、充電処理が正常に終了したことを表示する（ステップＳ５４）。
【０１９６】
ＩＤが１でない場合（ステップＳ５３においてＮＯ）、表示処理部１０５は、ＩＤが２か否かを判定する（ステップＳ５５）。ＩＤが２である場合（ステップＳ５５においてＹＥＳ）、表示処理部１０５は、充電処理が中断したことを示す情報を表示装置９０に送る。表示装置はその情報を表示することにより、充電処理が中断したことを表示する（ステップＳ５６）。
【０１９７】
ＩＤが１でなく（ステップＳ５３においてＮＯ）かつ２でもない場合（ステップＳ５５においてＮＯ）、表示処理部１０５は、ＩＤが３であると判定する。この場合、表示処理部１０５は、充電処理が強制終了したことを示す情報を表示装置９０に送る。表示装置はその情報を表示することにより充電処理が強制終了したことを表示する（ステップＳ５７）。
【０１９８】
ステップＳ５４，Ｓ５６，Ｓ５７のいずれかの処理が終了すると、全体の処理はメインルーチンに戻される。
【０１９９】
なお、ステップＳ５５においてＮＯの場合、ＩＤが３か否かを判定する処理が実行されてもよい。ＩＤが３と判定された場合、ステップＳ５７の処理が実行され、ＩＤが３でないと判定された場合（たとえばＩＤ＝０）には、全体の処理がメインルーチンに戻される。
【０２００】
また、ステップＳ５４，Ｓ５６，Ｓ５７での処理においては、充電処理の結果だけでなく他の情報を表示してもよい。たとえば充電が正常終了した場合、ＥＣＵ３０は、ステップＳ５４において、トータル充電時間、トータル充電電力量、充電効率などの情報を表示装置９０に表示させる処理を実行してもよい。
【０２０１】
また、充電が中断した場合には、ＥＣＵ３０は、ステップＳ５６において、中断の原因を表示装置９０に表示させる処理を実行してもよい。たとえば、ＥＣＵ３０は、車両のインレット２５０と充電ケーブル３００のコネクタ３１０との接続不良、電源４０２（コンセント４００）とプラグ３２０との接続不良、停電、バッテリ温度（極低温）、充電器２４０の温度（高温）等の情報を表示装置９０に表示させる処理を実行してもよい。
【０２０２】
また、充電が強制的に終了した場合、ＥＣＵ３０は、ステップＳ５７において、ダイアグノーシスコードに基づいて、異常個所を表示装置９０に表示させる処理を実行してもよい。ダイアグノーシスコードはＥＣＵ３０（記憶部３５）に記憶される。
【０２０３】
また、本実施の形態では、表示処理部１０５が指令ＩＧＯＮを受信したときに、上記表示処理が実行される。ただし、指令ＩＧＯＮが発生されるとき（すなわち車両システムの起動時）にユーザが表示装置９０に表示された情報を見落とす可能性も考えられる。したがって、ユーザの要求（表示装置９０の操作）に応じて図１４に示す表示処理が実行されてもよい。
【０２０４】
また、上記においては、動力分割機構４によりエンジン２の動力を分割して車輪６とモータジェネレータＭＧ１とに伝達可能なシリーズ／パラレル型のハイブリッド車両について説明したが、本発明は、その他の形式のハイブリッド自動車にも適用可能である。たとえば、モータジェネレータＭＧ１を駆動するためにのみエンジン２を用い、モータジェネレータＭＧ２でのみ車両の駆動力を発生する、いわゆるシリーズ型のハイブリッド車両や、エンジン２が生成した運動エネルギーのうち回生エネルギーのみが電気エネルギーとして回収されるハイブリッド車両、エンジンを主動力として必要に応じてモータがアシストするモータアシスト型のハイブリッド車両などにも本発明は適用可能である。
【０２０５】
また、本発明は、エンジン２を備えずに電力のみで走行する電気自動車や、電源として蓄電装置に加えて燃料電池をさらに備える燃料電池車にも適用可能である。
【０２０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２０７】
【図１】本発明の実施の形態による電源システムを搭載した車両の一例として示されるハイブリッド車両の全体ブロック図である。
【図２】図１に示したコンバータ１０，１２および接続部７２〜７６の構成を示す回路図である。
【図３】充電器２４０の構成および、ハイブリッド車両と外部電源との電気的接続のための構成を詳細に示す図である。
【図４】ＥＣＵ３０の構成を示す機能ブロック図である。
【図５】システムメインリレーの状態および電圧ＶＨの変化を模式的に示す波形図である。
【図６】本実施の形態による蓄電装置の充電処理を説明するフローチャートである。
【図７】図６のフローチャートに示した処理に対応するタイミングチャートである。
【図８】図６および図７に示す蓄電装置の充電処理をより詳細に説明するタイミングチャートである。
【図９】ＥＣＵ３０が蓄電装置を充電する処理を実行する場合におけるＥＣＵ３０の状態の遷移を示す状態遷移図である。
【図１０】充電制御部３１の構成を示す機能ブロック図である。
【図１１】充電制御部３１により実行される制御処理を説明するフローチャートである。
【図１２】中断要求ＳＲＱとラッチフラグＬＦとの関係を示す第１の波形図である。
【図１３】中断要求ＳＲＱとラッチフラグＬＦとの関係を示す第２の波形図である。
【図１４】本実施の形態による充電結果の表示処理を説明するフローチャートである。
【符号の説明】
【０２０８】
２  エンジン、４  動力分割機構、６  車輪、１０，１２，１４  コンバータ、１６  補機、２０，２２  インバータ、３１  充電制御部、３２  リレー制御部、３３  コンバータ制御部、３４  インバータ制御部、３５  記憶部、４２，４４，４６，４８  電圧センサ、５２，５４，５６  電流センサ、６２，６４，６６  温度センサ、７２，７４，７６  接続部、９０  表示装置、１０１  切換制御部、１０２  終了要求生成部、１０３  中断要求生成部、１０４  停止／再開処理部、１０５  表示処理部、１０６  ステータス情報生成部、１８２，１８８  電圧センサ、１８４  電流センサ、２４０  充電器、２４２  ＡＣ／ＤＣ変換回路、２４４  ＤＣ／ＡＣ変換回路、２４６  絶縁トランス、２４８  整流回路、２５０  インレット、３００  充電ケーブル、３１０  コネクタ、３１２  スイッチ、３２０  プラグ、３３０  ＣＣＩＤ、３３２  リレー、３３４  コントロールパイロット回路、４００  コンセント、４０２  電源、１０００  ハイブリッド車両、ＢＡ  主蓄電装置、ＢＢ１，ＢＢ２  副蓄電装置、Ｃ，Ｃ１，Ｃ２  コンデンサ、Ｄ１〜Ｄ４  ダイオード、Ｌ１，Ｌ２  リアクトル、ＭＧ１，ＭＧ２  モータジェネレータ、ＮＬ  負極ライン、ＰＬ１〜ＰＬ４  正極ライン、Ｑ１〜Ｑ４  スイッチング素子、ＲＡ，ＲＢ１，ＲＢ２  制限抵抗、ＳＢ  補機バッテリ、ＳＲＢ１，ＳＲＰ１，ＳＲＧ１，ＳＲＢ２，ＳＲＰ２，ＳＲＧ２，ＳＲＢ３，ＳＲＰ３，ＳＲＧ３  システムメインリレー。
【図１】
2010124537.tif 000003
【図２】
2010124537.tif 000004
【図３】
2010124537.tif 000005
【図４】
2010124537.tif 000006
【図５】
2010124537.tif 000007
【図６】
2010124537.tif 000008
【図７】
2010124537.tif 000009
【図８】
2010124537.tif 000010
【図９】
2010124537.tif 000011
【図１０】
2010124537.tif 000012
【図１１】
2010124537.tif 000013
【図１２】
2010124537.tif 000014
【図１３】
2010124537.tif 000015
【図１４】
2010124537.tif 000016